(57)【要約】  ページング方法、装置、およびページングシステムを開示する。異なるカバレッジエリアにあるユーザ機器がページングメッセージを取得し、メッセージを再送信する回数を減らすように、メッセージは、ユーザ機器のカバレッジレベルに従ってユーザ機器に送信される。本方法は、基地局により、マシン間ユーザ機器のページングメッセージを受信するステップと、ユーザ機器のページング位置を計算するステップと、ユーザ機器のカバレッジレベルを判定するステップと、ユーザ機器のカバレッジレベルに従って、無線インターフェースページングメッセージをユーザ機器に送信し、ページング位置においてページングスケジューリング情報を送信するステップと、を含み、ページングスケジューリング情報は、無線インターフェースページングメッセージが送信された位置を示し、無線インターフェースページングメッセージは、ユーザ機器のページングメッセージを含む。
2018503321.tif 000002
【特許請求の範囲】
【請求項１】
基地局により、ユーザ機器のページングメッセージを受信するステップであって、前記ページングメッセージが、前記ユーザ機器のユーザ識別情報を含む、ステップと、
前記ユーザ機器の前記ユーザ識別情報に従って、前記ユーザ機器のページング位置を計算し、前記ユーザ機器のカバレッジレベルを判定するステップと、
前記ユーザ機器の前記カバレッジレベルに従って、無線インターフェースページングメッセージを前記ユーザ機器に送信し、前記ページング位置においてページングスケジューリング情報を送信するステップであって、前記ページングスケジューリング情報が、前記無線インターフェースページングメッセージが送信された位置を示すために使用され、前記無線インターフェースページングメッセージが、前記ユーザ機器の前記ページングメッセージを含む、ステップと、
を含むページング方法。
【請求項２】
前記ユーザ機器のカバレッジレベルを判定する前記ステップが、
前記ページングメッセージが前記ユーザ機器の前記カバレッジレベルを運んでおらず、かつ前記基地局が前記ユーザ機器と前記カバレッジレベルとの間の対応を記憶していない場合、前記ユーザ機器の前記カバレッジレベルが最下位のカバレッジレベルであると判定するステップ
を含む、請求項1に記載のページング方法。
【請求項３】
前記ユーザ機器の前記カバレッジレベルに従って、無線インターフェースページングメッセージを前記ユーザ機器に送信する前記ステップが、
前記ユーザ機器と同じページング位置およびカバレッジレベルである、ページング位置およびカバレッジレベルを有するページングメッセージを、同じページング記録リストに結合するステップと、
前記ページング記録リストを前記ユーザ機器に対応する無線インターフェースページングメッセージに含めるステップと、
カバレッジレベルと変調および符号化スキーム（MCS）との間で予め設定した対応に従って、前記ユーザ機器の前記カバレッジレベルに対応するMCSを使用して、前記無線インターフェースページングメッセージに対して変調および符号化を行い、変調および符号化した前記無線インターフェースページングメッセージを前記ユーザ機器に送信するステップと、
を含む、請求項1または2に記載のページング方法。
【請求項４】
基地局により、ユーザ機器のページングメッセージを受信する前記ステップが、
前記基地局により、移動管理エンティティ（MME）またはサービング汎用パケット無線サービスサポートノード（SGSN）が送信した前記ユーザ機器のページングメッセージを受信するステップ
を含む、請求項1から3のいずれか一項に記載のページング方法。
【請求項５】
前記ユーザ機器のページング位置を計算する前記ステップが、
ネットワーク構成のページングサイクル、ページングスーパーフレーム密度、および前記ユーザ機器の機器識別情報に従って、前記ページング位置が配置されるページングスーパーフレームを計算するステップと、
1つのページングスーパーフレーム内のページングオケージョンの数、前記ユーザ機器の前記機器識別情報、および前記ページングスーパーフレーム密度に従って、前記ページング位置が配置されるページングオケージョンを計算するステップであって、前記ページングスーパーフレーム内の前記ページングオケージョンの前記数が、前記ページングスーパーフレームの長さおよび下りリンク制御情報間隔に従って判定される、ステップと、
を含む、請求項4に記載のページング方法。
【請求項６】
前記基地局が前記ユーザ機器のページングメッセージの再送信を命令するために使用される再送信指示情報を受信した場合、前記ユーザ機器のカバレッジレベルを再判定するステップと、
前記ユーザ機器の再判定された前記カバレッジレベルに従って、無線インターフェースページングメッセージを前記ユーザ機器に送信するステップと、
をさらに含む、請求項1から5のいずれか一項に記載のページング方法。
【請求項７】
前記ユーザ機器のカバレッジレベルを再判定する前記ステップが、
前記基地局が受信した前記再送信指示メッセージが前記ユーザ機器の現在のカバレッジレベルを含む場合、前記ユーザ機器の前記カバレッジレベルが前記現在のカバレッジレベルであると判定するステップ、または
前記基地局が受信した前記再送信指示メッセージが前記ユーザ機器の現在のカバレッジレベルを含まない場合、前記ユーザ機器の前記カバレッジレベルをすぐ下位のカバレッジレベルに下げるか、もしくは前記ユーザ機器の前記カバレッジレベルが最下位のカバレッジレベルであると判定するステップ
を含む、請求項6に記載のページング方法。
【請求項８】
ユーザ機器により、ページング位置において、基地局が送信したページングスケジューリング情報を受信するステップであって、前記ページングスケジューリングメッセージが、前記ユーザ機器のカバレッジレベルに対応する変調および符号化スキーム（MCS）に従って符号化され、前記基地局が前記ユーザ機器に送信した無線インターフェースページングメッセージの位置を示すために使用され、前記ユーザ機器の前記カバレッジレベルが、前記ユーザ機器によってMMEまたはSGSNに報告され、前記MMEまたは前記SGSNによって前記基地局に伝達される、ステップと、
前記ユーザ機器により、前記ユーザ機器の現在のカバレッジレベルに対応するMCSに従って前記ページングスケジューリング情報を復号するステップと、
を含むページング方法。
【請求項９】
前記ユーザ機器が前記ページングスケジューリング情報の解析に成功した場合、前記ページングスケジューリング情報が示す前記位置に従って、前記基地局が送信した前記無線インターフェースページングメッセージを受信し、前記無線インターフェースページングメッセージから前記ユーザ機器のページングメッセージを取得するステップ、または
前記ユーザ機器が前記ページングスケジューリング情報の解析に失敗した場合、前記基地局を使用して前記ユーザ機器の前記現在のカバレッジレベルを前記MMEまたは前記SGSNに報告するステップ
をさらに含む、請求項8に記載のページング方法。
【請求項１０】
前記基地局を使用して前記ユーザ機器の前記現在のカバレッジレベルを前記MMEまたは前記SGSNに報告する前記ステップが、
前記ユーザ機器により、前記ユーザ機器の前記現在のカバレッジレベルを運ぶランダムアクセスメッセージを前記基地局に報告し、前記ユーザ機器の前記現在のカバレッジレベルを前記MMEまたは前記SGSNに報告するように前記基地局に命令するステップ、または
前記ユーザ機器により、前記ユーザ機器の前記現在のカバレッジを運ぶ、登録アタッチ（Attach）メッセージ、トラッキングエリア更新（TAU）メッセージ、またはルーティングエリア更新（RAU）メッセージを前記基地局に報告し、前記Attachメッセージ、前記TAUメッセージ、または前記RAUメッセージを前記MMEまたは前記SGSNに転送するように前記基地局に命令するステップ
を含む、請求項9に記載のページング方法。
【請求項１１】
ユーザ機器のページングメッセージを受信するように構成された受信ユニットであって、前記ページングメッセージが、前記ユーザ機器のユーザ識別情報を含む、受信ユニットと、
前記受信ユニットが受信した前記ユーザ識別情報に従って、前記ユーザ機器のページング位置を計算するように構成された計算ユニットと、
前記受信ユニットが受信した前記ユーザ識別情報に従って、前記ユーザ機器のカバレッジレベルを判定するように構成された判定ユニットと、
前記判定ユニットが判定した前記ユーザ機器の前記カバレッジレベルに従って、無線インターフェースページングメッセージを前記ユーザ機器に送信し、前記計算ユニットが計算した前記ページング位置においてページングスケジューリング情報を送信するように構成された送信ユニットであって、前記ページングスケジューリング情報が、前記無線インターフェースページングメッセージが送信された位置を示すために使用され、前記無線インターフェースページングメッセージが、前記ユーザ機器の前記ページングメッセージを含む、送信ユニットと、
を備える基地局。
【請求項１２】
前記判定ユニットが、
前記ページングメッセージが前記ユーザ機器の前記カバレッジレベルを運んでおらず、かつ前記基地局が前記ユーザ機器と前記カバレッジレベルとの間の対応を記憶していない場合、前記ユーザ機器の前記カバレッジレベルが最下位のカバレッジレベルであると判定すること
を行うように特に構成される、請求項12に記載の基地局。
【請求項１３】
前記送信ユニットが、
前記ユーザ機器と同じページング位置およびカバレッジレベルである、ページング位置およびカバレッジレベルを有するページングメッセージを、同じページング記録リストに結合することと、
前記ページング記録リストを前記ユーザ機器に対応する無線インターフェースページングメッセージに含めることと、
カバレッジレベルと変調および符号化スキーム（MCS）との間で予め設定した対応に従って、前記ユーザ機器の前記カバレッジレベルに対応するMCSを使用して、前記無線インターフェースページングメッセージに対して変調および符号化を行い、変調および符号化した前記無線インターフェースページングメッセージを前記ユーザ機器に送信することと、
を行うように特に構成される、請求項11または12に記載の基地局。
【請求項１４】
前記受信ユニットが、
MMEまたはSGSNが送信した前記ユーザ機器のページングメッセージを受信すること
を行うように特に構成される、請求項11から13のいずれか一項に記載の基地局。
【請求項１５】
前記計算ユニットが、
ネットワーク構成のページングサイクル、ページングスーパーフレーム密度、および前記ユーザ機器の機器識別情報に従って、前記ページング位置が配置されるページングスーパーフレームを計算することと、
1つのページングスーパーフレーム内のページングオケージョンの数、前記ユーザ機器の前記機器識別情報、および前記ページングスーパーフレーム密度に従って、前記ページング位置が配置されるページングオケージョンを計算することであって、前記ページングスーパーフレーム内の前記ページングオケージョンの前記数が、前記ページングスーパーフレームの長さおよび下りリンク制御情報間隔に従って判定される、ことと、
を行うように特に構成される、請求項14に記載の基地局。
【請求項１６】
前記判定ユニットが、前記受信ユニットが前記ユーザ機器のページングメッセージの再送信を命令するために使用される再送信指示情報を受信した場合、前記ユーザ機器のカバレッジレベルを再判定するようにさらに構成され、
前記送信ユニットが、前記判定ユニットが再判定した前記ユーザ機器の前記カバレッジレベルに従って、無線インターフェースページングメッセージを前記ユーザ機器に送信するようにさらに構成される、請求項11から15のいずれか一項に記載の基地局。
【請求項１７】
前記判定ユニットが、
前記基地局が受信した前記再送信指示メッセージが前記ユーザ機器の現在のカバレッジレベルを含む場合、前記ユーザ機器の前記カバレッジレベルが前記現在のカバレッジレベルであると判定すること、または
前記基地局が受信した前記再送信指示メッセージが前記ユーザ機器の現在のカバレッジレベルを含まない場合、前記ユーザ機器の前記カバレッジレベルをすぐ下位のカバレッジレベルに下げるか、もしくは前記ユーザ機器の前記カバレッジレベルが最下位のカバレッジレベルであると判定すること
を行うように特に構成される、請求項16に記載の基地局。
【請求項１８】
ユーザ機器であって、
ページング位置において、基地局が送信したページングスケジューリング情報を受信するように構成された受信ユニットであって、前記ページングスケジューリングメッセージが、前記ユーザ機器のカバレッジレベルに対応する変調および符号化スキーム（MCS）に従って符号化され、前記基地局が前記ユーザ機器に送信した無線インターフェースページングメッセージの位置を示すために使用され、前記ユーザ機器の前記カバレッジレベルが、前記ユーザ機器によってMMEまたはSGSNに報告され、前記MMEまたは前記SGSNによって前記基地局に伝達される、受信ユニットと、
前記ユーザ機器の現在のカバレッジレベルに対応するMCSに従って、前記受信ユニットが受信した前記ページングスケジューリング情報を復号するように構成された解析ユニットと、
を備えるユーザ機器。
【請求項１９】
前記解析ユニットが前記ページングスケジューリング情報の解析に成功した場合、前記受信ユニットが受信した前記ページングスケジューリング情報が示す前記位置に従って、前記基地局が送信した前記無線インターフェースページングメッセージを受信し、前記無線インターフェースページングメッセージから前記ユーザ機器のページングメッセージを取得するように構成された取得ユニットと、
前記解析ユニットが前記ページングスケジューリング情報の解析に失敗した場合、前記ユーザ機器の前記現在のカバレッジレベルを前記基地局に報告するように構成された報告ユニットと、
をさらに備える、請求項18に記載のユーザ機器。
【請求項２０】
前記報告ユニットが、
前記ユーザ機器の前記現在のカバレッジレベルを運ぶランダムアクセスメッセージを前記基地局に報告し、前記ユーザ機器の前記現在のカバレッジレベルを前記MMEまたは前記SGSNに報告するように前記基地局に命令すること、または
前記ユーザ機器の前記現在のカバレッジを運ぶ、登録アタッチ（Attach）メッセージ、トラッキングエリア更新（TAU）メッセージ、またはルーティングエリア更新（RAU）メッセージを前記基地局に報告し、前記Attachメッセージ、前記TAUメッセージ、または前記RAUメッセージを前記MMEまたは前記SGSNに転送するように前記基地局に命令すること
を行うように特に構成される、請求項19に記載のユーザ機器。
【請求項２１】
請求項11から17のいずれか一項に記載の基地局と、
請求項18から20のいずれか一項に記載のユーザ機器と、
コアネットワーク装置と、
を備え、
前記コアネットワーク装置がMMEまたはSGSNである、ページングシステム。
【請求項２２】
マシン間ユーザ機器のページングメッセージを受信するように構成された通信ユニットであって、前記ページングメッセージが、前記ユーザ機器のユーザ識別情報を含む、通信ユニットと、
前記通信ユニットが受信した前記ユーザ識別情報に従って、前記ユーザ機器のページング位置を計算し、前記ユーザ機器のカバレッジレベルを判定するように構成されたプロセッサと、
を備え、
前記通信ユニットは、前記プロセッサが判定した前記ユーザ機器の前記カバレッジレベルに従って、無線インターフェースページングメッセージを前記ユーザ機器に送信し、前記プロセッサが計算した前記ページング位置においてページングスケジューリング情報を送信するようにさらに構成され、前記ページングスケジューリング情報が、前記無線インターフェースページングメッセージが送信された位置を示すために使用され、前記無線インターフェースページングメッセージが、前記ユーザ機器の前記ページングメッセージを含む、基地局。
【請求項２３】
前記プロセッサが、
前記ページングメッセージが前記ユーザ機器の前記カバレッジレベルを運んでおらず、かつ前記基地局が前記ユーザ機器と前記カバレッジレベルとの間の対応を記憶していない場合、前記ユーザ機器の前記カバレッジレベルが最下位のカバレッジレベルであると判定すること
を行うように特に構成される、請求項22に記載の基地局。
【請求項２４】
前記通信ユニットが、
前記ユーザ機器と同じページング位置およびカバレッジレベルである、ページング位置およびカバレッジレベルを有するページングメッセージを、同じページング記録リストに結合することと、
前記ページング記録リストを前記ユーザ機器に対応する無線インターフェースページングメッセージに含めることと、
カバレッジレベルと変調および符号化スキーム（MCS）との間で予め設定した対応に従って、前記ユーザ機器の前記カバレッジレベルに対応するMCSを使用して、前記無線インターフェースページングメッセージに対して変調および符号化を行い、変調および符号化した前記無線インターフェースページングメッセージを前記ユーザ機器に送信することと、
を行うように特に構成される、請求項22または23に記載の基地局。
【請求項２５】
前記通信ユニットが、
MMEまたはSGSNが送信した前記ユーザ機器のページングメッセージを受信すること
を行うように特に構成される、請求項22から24のいずれか一項に記載の基地局。
【請求項２６】
前記プロセッサが、
ネットワーク構成のページングサイクル、ページングスーパーフレーム密度、および前記ユーザ機器の機器識別情報に従って、前記ページング位置が配置されるページングスーパーフレームを計算することと、
1つのページングスーパーフレーム内のページングオケージョンの数、前記ユーザ機器の前記機器識別情報、および前記ページングスーパーフレーム密度に従って、前記ページング位置が配置されるページングオケージョンを計算することであって、前記ページングスーパーフレーム内の前記ページングオケージョンの前記数が、前記ページングスーパーフレームの長さおよび下りリンク制御情報間隔に従って判定される、ことと、
を行うように特に構成される、請求項25に記載の基地局。
【請求項２７】
前記プロセッサが、前記通信ユニットが前記ユーザ機器のページングメッセージの再送信を命令するために使用される再送信指示情報を受信した場合、前記ユーザ機器のカバレッジレベルを再判定するようにさらに構成され、
前記通信ユニットが、前記プロセッサが再判定した前記ユーザ機器の前記カバレッジレベルに従って、無線インターフェースページングメッセージを前記ユーザ機器に送信するようにさらに構成される、請求項22から26のいずれか一項に記載の基地局。
【請求項２８】
前記プロセッサが、
前記基地局が受信した前記再送信指示メッセージが前記ユーザ機器の現在のカバレッジレベルを含む場合、前記ユーザ機器の前記カバレッジレベルが前記現在のカバレッジレベルであると判定すること、または
前記基地局が受信した前記再送信指示メッセージが前記ユーザ機器の現在のカバレッジレベルを含まない場合、前記ユーザ機器の前記カバレッジレベルをすぐ下位のカバレッジレベルに下げるか、もしくは前記ユーザ機器の前記カバレッジレベルが最下位のカバレッジレベルであると判定すること、
を行うように特に構成される、請求項27に記載の基地局。
【請求項２９】
ユーザ機器であって、
ページング位置において、基地局が送信したページングスケジューリング情報を受信するように構成された通信ユニットであって、前記ページングスケジューリングメッセージが、前記ユーザ機器のカバレッジレベルに対応する変調および符号化スキーム（MCS）に従って符号化され、前記基地局が前記ユーザ機器に送信した無線インターフェースページングメッセージの位置を示すために使用され、前記ユーザ機器の前記カバレッジレベルが、前記ユーザ機器によってMMEまたはSGSNに報告され、前記MMEまたは前記SGSNによって前記基地局に伝達される、通信ユニットと、
前記ユーザ機器の現在のカバレッジレベルに対応するMCSに従って、前記通信ユニットが受信した前記ページングスケジューリング情報を復号するように構成されたプロセッサと、
を備えるユーザ機器。
【請求項３０】
前記プロセッサが、前記プロセッサが前記ページングスケジューリング情報の解析に成功した場合、前記ページングスケジューリング情報が示す前記位置に従って、前記基地局が送信した前記無線インターフェースページングメッセージを受信し、前記無線インターフェースページングメッセージから前記ユーザ機器のページングメッセージを取得するようにさらに構成され、
前記通信ユニットが、前記プロセッサが前記ページングスケジューリング情報の解析に失敗した場合、前記ユーザ機器の前記現在のカバレッジレベルを前記基地局に報告するようにさらに構成される、請求項29に記載のユーザ機器。
【請求項３１】
前記通信ユニットが、
前記ユーザ機器の前記現在のカバレッジレベルを運ぶランダムアクセスメッセージを前記基地局に報告し、前記ユーザ機器の前記現在のカバレッジレベルを前記MMEまたは前記SGSNに報告するように前記基地局に命令すること、または
前記ユーザ機器の前記現在のカバレッジを運ぶ、登録アタッチ（Attach）メッセージ、トラッキングエリア更新（TAU）メッセージ、またはルーティングエリア更新（RAU）メッセージを前記基地局に報告し、前記Attachメッセージ、前記TAUメッセージ、または前記RAUメッセージを前記MMEまたは前記SGSNに転送するように前記基地局に命令すること
を行うように特に構成される、請求項30に記載のユーザ機器。
【請求項３２】
請求項22から28のいずれか一項に記載の基地局と、
請求項29から31のいずれか一項に記載のユーザ機器と、
コアネットワーク装置と、
を備え、
前記コアネットワーク装置がMMEまたはSGSNである、ページングシステム。
【発明の詳細な説明】
【技術分野】
【０００１】
本発明は、無線通信技術の分野に関し、詳細には、ページング方法、装置、およびページングシステムに関する。
【背景技術】
【０００２】
マシン間（英語：Machine to Machine、略称M2M）通信は、人との相互作用を必要としない1つ以上の機械装置のデータ通信の一種であり、M2M通信において使用される機械装置（センサ、電気メーター、水道メーター、警報装置など）は、ユーザ機器と呼ばれ得る。M2M通信システムでは、ユーザ機器の数が極めて多く、またユーザ機器は普通はバッテリで動くことから、M2Mシステムにとっては、バッテリを毎回交換することは、非常に大きい作業負荷となる。このことから、人々は、比較的低電力消費かつ比較的長いスタンバイ時間のユーザ機器を期待している。ユーザ機器のこの特徴を満たすために、M2M通信システムのアイドルモードでは、基地局は、ページングメッセージをユーザ機器に定期的に送信して、その結果、ユーザ機器は、基地局が送信したページングメッセージに従って特定の間隔でのみウェークアップさせられて、データを送信および受信し、それ以外の期間は休眠状態となり、すなわち、ユーザ機器のバッテリ電力を減らすために、ユーザ機器の通信インターフェースがシャットダウンされる。
【０００３】
図1は、既存のM2M通信システムにおけるページングメッセージスケジューリングサイクルのフレームフォーマットを示す。図1に示すように、1つのページングサイクル（英語：Paging Cycle、略称PC）は、いくつかのページングフレーム（英語：Paging Frame）を含み、各ページングフレームは、いくつかのページングオケージョン（英語：Paging Occasion、略称PO）を含む。PFは、無線フレームであり、POは、無線サブフレームである。ページングスケジューリング情報は、あるPO時点でユーザ機器に送信され、ページングスケジューリング情報は、ページングメッセージが配置される位置を示すために使用される、下りリンク制御情報（英語：Downlink Control Information、略称DCI）である。ユーザ機器がそのPO時点においてページングスケジューリングメッセージを受信した後、ページングメッセージの位置が解析され、ページングメッセージが取得され、ユーザ機器が成功裏にウェークアップされる。
【０００４】
しかしながら、実際の適用時には、基地局がページングメッセージをユーザ機器に送信した場合、既存のセルラー方式システムの送信機構のみが使用され、ユーザ機器が配置されている位置のカバレッジ強度は考慮されない。このケースでは、ユーザ機器が角や地下などの劣悪なカバレッジのエリアに配備されている場合、ユーザ機器はページングメッセージを受信できない。
【発明の概要】
【課題を解決するための手段】
【０００５】
本発明の実施態様は、ユーザ機器が配置されている位置のカバレッジ強度が極めて弱い場合に、ユーザ機器がページングメッセージを受信できないという従来の課題を解決するために、ページング方法、装置、およびページングシステムを提供する。
【０００６】
上記の目的を達成するために、本発明の実施態様において、以下の技術的な解決策が使用される。
【０００７】
第1の実施態様によれば、本発明の一実施態様は、ページング方法を提供し、本方法は、
基地局により、ユーザ機器のページングメッセージを受信するステップであって、ページングメッセージが、ユーザ機器のユーザ識別情報を含む、ステップと、
ユーザ機器のユーザ識別情報に従って、ユーザ機器のページング位置を計算し、ユーザ機器のカバレッジレベルを判定するステップと、
ユーザ機器のカバレッジレベルに従って、無線インターフェースページングメッセージをユーザ機器に送信し、ページング位置においてページングスケジューリング情報を送信するステップであって、ページングスケジューリング情報が、無線インターフェースページングメッセージが送信された位置を示すために使用され、無線インターフェースページングメッセージが、ユーザ機器のページングメッセージを含む、ステップと、
を含む。
【０００８】
第1の実施態様の第1の可能な実施方式では、第1の実施態様に関連して、ユーザ機器のカバレッジレベルを判定するステップは、
ページングメッセージがユーザ機器のカバレッジレベルを運んでおらず、かつ基地局がユーザ機器とカバレッジレベルとの間の対応を記憶していない場合、ユーザ機器のカバレッジレベルが最下位のカバレッジレベルであると判定するステップ
を含む。
【０００９】
第1の実施態様の第2の可能な実施方式では、第1の実施態様または第1の実施態様の第1の可能な実施方式に関連して、ユーザ機器のカバレッジレベルに従って、無線インターフェースページングメッセージをユーザ機器に送信するステップは、
ユーザ機器と同じページング位置およびカバレッジレベルである、ページング位置およびカバレッジレベルを有するページングメッセージを、同じページング記録リストに結合するステップと、
ページング記録リストをユーザ機器に対応する無線インターフェースページングメッセージに含めるステップと、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信するステップと、
を含む。
【００１０】
第1の実施態様の第3の可能な実施方式では、第1の実施態様から第1の実施態様の第2の可能な実施方式までのいずれか1つに関連して、基地局により、ユーザ機器のページングメッセージを受信するステップは、
基地局により、移動管理エンティティ（MME）またはサービング汎用パケット無線サービスサポートノード（SGSN）が送信した、ユーザ機器のページングメッセージを受信するステップ
を含む。
【００１１】
第1の実施態様の第4の可能な実施方式では、第1の実施態様の第3の可能な実施方式に関連して、ユーザ機器のページング位置を計算するステップは、
ネットワーク構成のページングサイクル、ページングスーパーフレーム密度、およびユーザ機器の機器識別情報に従って、ページング位置が配置されるページングスーパーフレームを計算するステップと、
1つのページングスーパーフレーム内のページングオケージョンの数、ユーザ機器の機器識別情報、およびページングスーパーフレーム密度に従って、ページング位置が配置されるページングオケージョンを計算するステップであって、ページングスーパーフレーム内のページングオケージョンの数が、ページングスーパーフレームの長さおよび下りリンク制御情報間隔に従って判定される、ステップと、
を含む。
【００１２】
第1の実施態様の第5の可能な実施方式では、第1の実施態様から第1の実施態様の第4の可能な実施方式までのいずれか1つに関連して、本方法は、
基地局がユーザ機器のページングメッセージの再送信を命令するために使用される再送信指示情報を受信した場合、ユーザ機器のカバレッジレベルを再判定するステップと、
ユーザ機器の再判定されたカバレッジレベルに従って、無線インターフェースページングメッセージをユーザ機器に送信するステップと、
をさらに含む。
【００１３】
第1の実施態様の第6の可能な実施方式では、第1の実施態様の第5の可能な実施方式に関連して、ユーザ機器のカバレッジレベルを再判定するステップは、
基地局が受信した再送信指示メッセージがユーザ機器の現在のカバレッジレベルを含む場合、ユーザ機器のカバレッジレベルが現在のカバレッジレベルであると判定するステップ、または
基地局が受信した再送信指示メッセージがユーザ機器の現在のカバレッジレベルを含まない場合、ユーザ機器のカバレッジレベルをすぐ下位のカバレッジレベルに下げるか、もしくはユーザ機器のカバレッジレベルが最下位のカバレッジレベルであると判定するステップ
を含む。
【００１４】
第2の実施態様によれば、本発明の一実施態様は、ページング方法を提供し、本方法は、
ユーザ機器により、ページング位置において、基地局が送信したページングスケジューリング情報を受信するステップであって、ページングスケジューリングメッセージが、ユーザ機器のカバレッジレベルに対応する変調および符号化スキーム（MCS）に従って符号化され、基地局がユーザ機器に送信した無線インターフェースページングメッセージの位置を示すために使用され、ユーザ機器のカバレッジレベルが、ユーザ機器によってMMEまたはSGSNに報告され、MMEまたはSGSNによって基地局に伝達される、ステップと、
ユーザ機器により、ユーザ機器の現在のカバレッジレベルに対応するMCSに従ってページングスケジューリング情報を復号するステップと、
を含む。
【００１５】
第2の実施態様の第1の可能な実施方式では、第2の実施態様に関連して、本方法は、
ユーザ機器がページングスケジューリング情報の解析に成功した場合、ページングスケジューリング情報が示す位置に従って、基地局が送信した無線インターフェースページングメッセージを受信し、無線インターフェースページングメッセージからユーザ機器のページングメッセージを取得するステップ、または
ユーザ機器がページングスケジューリング情報の解析に失敗した場合、基地局を使用してユーザ機器の現在のカバレッジレベルをMMEまたはSGSNに報告するステップ
をさらに含む。
【００１６】
第2の実施態様の第2の可能な実施方式では、第2の実施態様の第1の可能な実施方式に関連して、基地局を使用してユーザ機器の現在のカバレッジレベルをMMEまたはSGSNに報告するステップは、
ユーザ機器により、ユーザ機器の現在のカバレッジレベルを運ぶランダムアクセスメッセージを基地局に報告し、ユーザ機器の現在のカバレッジレベルをMMEまたはSGSNに報告するように基地局に命令するステップ、または
ユーザ機器により、ユーザ機器の現在のカバレッジを運ぶ、登録アタッチ（Attach）メッセージ、トラッキングエリア更新（TAU）メッセージ、またはルーティングエリア更新（RAU）メッセージを基地局に報告し、Attachメッセージ、TAUメッセージ、またはRAUメッセージをMMEまたはSGSNに転送するように基地局に命令するステップ
を含む。
【００１７】
第3の実施態様によれば、本発明の一実施態様は、基地局を提供し、基地局は、
ユーザ機器のページングメッセージを受信するように構成された受信ユニットであって、ページングメッセージが、ユーザ機器のユーザ識別情報を含む、受信ユニットと、
受信ユニットが受信したユーザ識別情報に従って、ユーザ機器のページング位置を計算するように構成された計算ユニットと、
受信ユニットが受信したユーザ識別情報に従って、ユーザ機器のカバレッジレベルを判定するように構成された判定ユニットと、
判定ユニットが判定したユーザ機器のカバレッジレベルに従って、無線インターフェースページングメッセージをユーザ機器に送信し、計算ユニットが計算したページング位置においてページングスケジューリング情報を送信するように構成された送信ユニットであって、ページングスケジューリング情報が、無線インターフェースページングメッセージが送信された位置を示すために使用され、無線インターフェースページングメッセージが、ユーザ機器のページングメッセージを含む、送信ユニットと、
を備える。
【００１８】
第3の実施態様の第1の可能な実施方式では、第3の実施態様に関連して、判定ユニットは、
ページングメッセージがユーザ機器のカバレッジレベルを運んでおらず、かつ基地局がユーザ機器とカバレッジレベルとの間の対応を記憶していない場合、ユーザ機器のカバレッジレベルが最下位のカバレッジレベルであると判定すること
を行うように特に構成される。
【００１９】
第3の実施態様の第2の可能な実施方式では、第3の実施態様または第3の実施態様の第1の可能な実施方式に関連して、送信ユニットは、
ユーザ機器と同じページング位置およびカバレッジレベルである、ページング位置およびカバレッジレベルを有するページングメッセージを、同じページング記録リストに結合することと、
ページング記録リストをユーザ機器に対応する無線インターフェースページングメッセージに含めることと、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信することと、
を行うように特に構成される。
【００２０】
第3の実施態様の第3の可能な実施方式では、第3の実施態様から第3の実施態様の第2の可能な実施方式までのいずれか1つに関連して、受信ユニットは、
MMEまたはSGSNが送信したユーザ機器のページングメッセージを受信すること
を行うように特に構成される。
【００２１】
第3の実施態様の第4の可能な実施方式では、第3の実施態様の第3の可能な実施方式に関連して、計算ユニットは、
ネットワーク構成のページングサイクル、ページングスーパーフレーム密度、およびユーザ機器の機器識別情報に従って、ページング位置が配置されるページングスーパーフレームを計算することと、
1つのページングスーパーフレーム内のページングオケージョンの数、ユーザ機器の機器識別情報、およびページングスーパーフレーム密度に従って、ページング位置が配置されるページングオケージョンを計算することであって、ページングスーパーフレーム内のページングオケージョンの数が、ページングスーパーフレームの長さおよび下りリンク制御情報間隔に従って判定される、ことと、
を行うように特に構成される。
【００２２】
第3の実施態様の第5の可能な実施方式では、第3の実施態様から第3の実施態様の第4の可能な実施方式までのいずれか1つに関連して、判定ユニットは、受信ユニットがユーザ機器のページングメッセージの再送信を命令するために使用される再送信指示情報を受信した場合、ユーザ機器のカバレッジレベルを再判定するようにさらに構成され、
送信ユニットは、判定ユニットが再判定したユーザ機器のカバレッジレベルに従って、無線インターフェースページングメッセージをユーザ機器に送信するようにさらに構成される。
【００２３】
第3の実施態様の第6の可能な実施方式では、第3の実施態様の第5の可能な実施方式に関連して、判定ユニットは、
基地局が受信した再送信指示メッセージがユーザ機器の現在のカバレッジレベルを含む場合、ユーザ機器のカバレッジレベルが現在のカバレッジレベルであると判定すること、または
基地局が受信した再送信指示メッセージがユーザ機器の現在のカバレッジレベルを含まない場合、ユーザ機器のカバレッジレベルをすぐ下位のカバレッジレベルに下げるか、もしくはユーザ機器のカバレッジレベルが最下位のカバレッジレベルであると判定すること
を行うように特に構成される。
【００２４】
第4の実施態様によれば、本発明の一実施態様は、ユーザ機器を提供し、ユーザ機器は、
ページング位置において、基地局が送信したページングスケジューリング情報を受信するように構成された受信ユニットであって、ページングスケジューリングメッセージが、ユーザ機器のカバレッジレベルに対応する変調および符号化スキーム（MCS）に従って符号化され、基地局がユーザ機器に送信した無線インターフェースページングメッセージの位置を示すために使用され、ユーザ機器のカバレッジレベルが、ユーザ機器によってMMEまたはSGSNに報告され、MMEまたはSGSNによって基地局に伝達される、受信ユニットと、
ユーザ機器の現在のカバレッジレベルに対応するMCSに従ってページングスケジューリング情報を復号するように構成された解析ユニットと、
を備える。
【００２５】
第4の実施態様の第1の可能な実施方式では、第4の実施態様に関連して、ユーザ機器がページングスケジューリング情報の解析に成功した場合、ユーザ機器は、
解析ユニットがページングスケジューリング情報の解析に成功した場合、受信ユニットが受信したページングスケジューリング情報が示す位置に従って、基地局が送信した無線インターフェースページングメッセージを受信し、無線インターフェースページングメッセージからユーザ機器のページングメッセージを取得するように構成された取得ユニットと、
解析ユニットがページングスケジューリング情報の解析に失敗した場合、ユーザ機器の現在のカバレッジレベルを基地局に報告するように構成された報告ユニットと、
をさらに備える。
【００２６】
第4の実施態様の第2の可能な実施方式では、第4の実施態様の第1の可能な実施方式に関連して、報告ユニットは、
ユーザ機器の現在のカバレッジレベルを運ぶランダムアクセスメッセージを基地局に報告し、ユーザ機器の現在のカバレッジレベルをMMEまたはSGSNに報告するように基地局に命令すること、または
ユーザ機器の現在のカバレッジを運ぶ、登録アタッチ（Attach）メッセージ、トラッキングエリア更新（TAU）メッセージ、またはルーティングエリア更新（RAU）メッセージを基地局に報告し、Attachメッセージ、TAUメッセージ、またはRAUメッセージをMMEまたはSGSNに転送するように基地局に命令すること
を行うように特に構成される。
【００２７】
第5の実施態様によれば、本発明の一実施態様は、ページングシステムを提供し、ページングシステムは、
第3の実施態様から第3の実施態様の第6の可能な実施方式までのいずれか1つによる基地局と、第4の実施態様から第4の実施態様の第2の可能な実施方式までのいずれか1つによるユーザ機器と、コアネットワーク装置と、を備え、
コアネットワーク装置は、MMEまたはSGSNである。
【００２８】
第6の実施態様によれば、本発明の一実施態様は、基地局を提供し、基地局は、
マシン間ユーザ機器のページングメッセージを受信するように構成された通信ユニットであって、ページングメッセージが、ユーザ機器のユーザ識別情報を含む、通信ユニットと、
通信ユニットが受信したユーザ識別情報に従って、ユーザ機器のページング位置を計算し、ユーザ機器のカバレッジレベルを判定するように構成されたプロセッサと、
を備え、
通信ユニットは、プロセッサが判定したユーザ機器のカバレッジレベルに従って、無線インターフェースページングメッセージをユーザ機器に送信し、プロセッサが計算したページング位置においてページングスケジューリング情報を送信するようにさらに構成され、ページングスケジューリング情報が、無線インターフェースページングメッセージが送信された位置を示すために使用され、無線インターフェースページングメッセージが、ユーザ機器のページングメッセージを含む。
【００２９】
第6の実施態様の第1の可能な実施方式では、第6の実施態様に関連して、プロセッサは、
ページングメッセージがユーザ機器のカバレッジレベルを運んでおらず、かつ基地局がユーザ機器とカバレッジレベルとの間の対応を記憶していない場合、ユーザ機器のカバレッジレベルが最下位のカバレッジレベルであると判定すること
を行うように特に構成される。
【００３０】
第6の実施態様の第2の可能な実施方式では、第6の実施態様または第6の実施態様の第1の可能な実施方式に関連して、通信ユニットは、
ユーザ機器と同じページング位置およびカバレッジレベルである、ページング位置およびカバレッジレベルを有するページングメッセージを、同じページング記録リストに結合することと、
ページング記録リストをユーザ機器に対応する無線インターフェースページングメッセージに含めることと、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信することと、
を行うように特に構成される。
【００３１】
第6の実施態様の第3の可能な実施方式では、第6の実施態様から第6の実施態様の第2の可能な実施方式までのいずれか1つに関連して、通信ユニットは、
MMEまたはSGSNが送信したユーザ機器のページングメッセージを受信すること
を行うように特に構成される。
【００３２】
第6の実施態様の第4の可能な実施方式では、第6の実施態様の第3の可能な実施方式に関連して、プロセッサは、
ネットワーク構成のページングサイクル、ページングスーパーフレーム密度、およびユーザ機器の機器識別情報に従って、ページング位置が配置されるページングスーパーフレームを計算することと、
1つのページングスーパーフレーム内のページングオケージョンの数、ユーザ機器の機器識別情報、およびページングスーパーフレーム密度に従って、ページング位置が配置されるページングオケージョンを計算することであって、ページングスーパーフレーム内のページングオケージョンの数が、ページングスーパーフレームの長さおよび下りリンク制御情報間隔に従って判定される、ことと、
を行うように特に構成される。
【００３３】
第6の実施態様の第5の可能な実施方式では、第6の実施態様から第6の実施態様の第4の可能な実施方式までのいずれか1つに関連して、
プロセッサは、通信ユニットがユーザ機器のページングメッセージの再送信を命令するために使用される再送信指示情報を受信した場合、ユーザ機器のカバレッジレベルを再判定するようにさらに構成され、
通信ユニットは、プロセッサが再判定したカバレッジレベルに従って、無線インターフェースページングメッセージをユーザ機器に送信するようにさらに構成される。
【００３４】
第6の実施態様の第6の可能な実施方式では、第6の実施態様の第5の可能な実施方式に関連して、プロセッサは、
基地局が受信した再送信指示メッセージがユーザ機器の現在のカバレッジレベルを含む場合、ユーザ機器のカバレッジレベルが現在のカバレッジレベルであると判定すること、または
基地局が受信した再送信指示メッセージがユーザ機器の現在のカバレッジレベルを含まない場合、ユーザ機器のカバレッジレベルをすぐ下位のカバレッジレベルに下げるか、もしくはユーザ機器のカバレッジレベルが最下位のカバレッジレベルであると判定すること
を行うように特に構成される。
【００３５】
第7の実施態様によれば、本発明の一実施態様は、ユーザ機器を提供し、ユーザ機器は、
ページング位置において、基地局が送信したページングスケジューリング情報を受信するように構成された通信ユニットであって、ページングスケジューリングメッセージが、ユーザ機器のカバレッジレベルに対応する変調および符号化スキーム（MCS）に従って符号化され、基地局がユーザ機器に送信した無線インターフェースページングメッセージの位置を示すために使用され、ユーザ機器のカバレッジレベルが、ユーザ機器によってMMEまたはSGSNに報告され、MMEまたはSGSNによって基地局に伝達される、通信ユニットと、
ユーザ機器の現在のカバレッジレベルに対応するMCSに従って、通信ユニットが受信したページングスケジューリング情報を復号するように構成されたプロセッサと、
を備える。
【００３６】
第7の実施態様の第1の可能な実施方式では、第7の実施態様に関連して、プロセッサは、プロセッサがページングスケジューリング情報の解析に成功した場合、ページングスケジューリング情報が示す位置に従って、基地局が送信した無線インターフェースページングメッセージを受信し、無線インターフェースページングメッセージからユーザ機器のページングメッセージを取得するようにさらに構成され、
通信ユニットは、プロセッサがページングスケジューリング情報の解析に失敗した場合、ユーザ機器の現在のカバレッジレベルを基地局に報告するようにさらに構成される。
【００３７】
第7の実施態様の第2の可能な実施方式では、第7の実施態様の第1の可能な実施方式に関連して、通信ユニットは、
ユーザ機器の現在のカバレッジレベルを運ぶランダムアクセスメッセージを基地局に報告し、MMEまたはSGSNがユーザ機器のページングメッセージの再送信を命令するために使用される再送信指示情報を基地局に送信するように、ランダムアクセスメッセージをMMEまたはSGSNに報告するように基地局に命令すること
を行うように特に構成される。
【００３８】
第8の実施態様によれば、本発明の一実施態様は、ページングシステムを提供し、ページングシステムは、
第6の実施態様から第6の実施態様の第6の可能な実施方式までのいずれか1つによる基地局と、第7の実施態様から第7の実施態様の第2の可能な実施方式までのいずれか1つによるユーザ機器と、コアネットワーク装置と、を備え、
コアネットワーク装置は、MMEまたはSGSNである。
【００３９】
上記より、本発明の実施態様は、ページング方法、装置、およびページングシステムを提供することがわかる。ユーザ機器のページングメッセージを受信すると、基地局は、ユーザ機器のページング位置を計算し、ユーザ機器のカバレッジレベルを取得し、基地局は、ユーザ機器のカバレッジレベルに従って、無線インターフェースページングメッセージをユーザ機器に送信し、ページング位置においてページングスケジューリング情報を送信し、ページングスケジューリング情報は、無線インターフェースページングメッセージが送信された位置を示すために使用され、無線インターフェースページングメッセージは、ユーザ機器のページングメッセージを含む。したがって、従来技術と比較すると、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【００４０】
本発明の実施形態における、または従来技術における技術的な解決策をより明確に説明するために、以下、実施形態または従来技術を説明するために必要な添付の図面を簡単に説明する。当然のことながら、以下の説明における添付の図面は、本発明の一部の実施形態を単に示すものであり、当業者は、創造的労力なしに、これらの添付の図面から他の図面をさらに導出することができる。
【図面の簡単な説明】
【００４１】
【図１】既存のM2M通信システムにおけるページングメッセージスケジューリングサイクルのフレームフォーマットを示す。
【図２】本発明の一実施形態による、ページング方法の適用シナリオの図である。
【図３】本発明の別の実施形態による、ページング方法の流れ図である。
【図４】本発明の一実施形態による、ページングメッセージスケジューリングサイクルのフレームフォーマットである。
【図５】本発明のさらに別の実施形態による、ページング方法の流れ図である。
【図６Ａ】本発明の別の実施形態による、ページング方法の流れ図である。
【図６Ｂ】本発明の別の実施形態による、ページング方法の流れ図である。
【図７】本発明の一実施形態による基地局の構造図である。
【図８】本発明の一実施形態によるユーザ機器の構造図である。
【図８Ａ】本発明の一実施形態によるユーザ機器の構造図である。
【図８Ｂ】本発明の一実施形態によるユーザ機器の構造図である。
【図９】本発明の一実施形態によるページングシステムの構造図である。
【図１０】本発明の別の実施形態による基地局の構造図である。
【図１１】本発明の別の実施形態によるユーザ機器の構造図である。
【図１２】本発明の別の実施形態によるページングシステムの構造図である。
【発明を実施するための形態】
【００４２】
以下、本発明の実施形態における添付の図面を参照しながら、本発明の実施形態における技術的な解決策を明確かつ完全に説明する。当然のことながら、説明される実施形態は、単に本発明の実施形態の一部に過ぎず、すべてではない。本発明の実施形態に基づいて、当業者によって創造的労力なしに得られるすべての他の実施形態は、本発明の保護範囲内に含まれるものとする。
【００４３】
本発明の実施形態で提供されるページング方法は、ロングタームエボリューション（英語：Long Term Evolution、略称LTE）ネットワークシステムに適用されるだけでなく、以下のネットワークシステム、すなわち、ロングタームエボリューション−アドバンスト（英語：Advanced Long Term Evolution、略称LTE-A）システム、ユニバーサル移動体通信システム（英語：Universal Mobile Telecommunications System、略称UMTS）、汎欧州デジタル移動電話方式（英語：Global System for Mobile Communication、略称GSM（登録商標））などのうちのいずれか1つにも適用される。しかしながら、本発明の実施形態は、本ページング方法が適用される具体的な通信システムにいかなる限定をも課すものではなく、本発明の実施形態では、説明のための例として、本ページング方法をLTEシステムに適用するケースのみを使用する。図2は、本発明の一実施形態によるページング方法の適用シナリオを示し、シナリオは、複数のユーザ機器と、基地局と、コアネットワーク装置と、移動管理エンティティ（英語：Moblity Management Entity、略称MME）と、を含み得る。ユーザ機器はまた、マシンタイプコミュニケーション（英語：Machine Type Communication、略称MTC）と呼ばれることもあり、人間との相互作用をもたないあらゆるタイプの装置であり、基地局を使用して情報の交換を行うことができる。ユーザ機器は、比較的高位のカバレッジレベルの位置、例えば、既存のセルラー方式ネットワークにおける強いカバレッジエリアに配置される場合もあるし、極めて低位のカバレッジレベルの位置、例えば、既存のセルラー方式ネットワークにおける弱いカバレッジエリア（角、地下など）に配置される場合もある。コアネットワーク装置は、S1インターフェースを使用して基地局に接続された移動管理エンティティ（英語：Moblity Management Entity、略称MME）である場合もあるし、Gbインターフェースを使用して基地局に接続されたサービングGPRS（英語：General Packet Radio Service；中国語：汎用パケット無線サービス）サポートノード（英語：Serving GPRS Support Node、略称SGSN）である場合もある。強いカバレッジレベルにおけるユーザ機器では、ページングメッセージの送信ゲインを高める必要はなく、ユーザ機器は、ページングメッセージを適切に受信し得る。しかしながら、極めて低位のカバレッジレベルにおけるユーザ機器では、ユーザ機器がページングメッセージを適切に受信できるように、ページングメッセージに対して、送信ゲインを高めることに対応する処理（送信ビットレートの増加、符号化スキームの変更、またはスペクトル拡大など）を行う必要があり、つまり、ユーザ機器がページングメッセージを適切に受信できるように、ユーザ機器に送信したページングメッセージを、ユーザ機器のカバレッジレベルに従って様々な方式で処理する必要がある。このことから、本発明の実施形態では、コアネットワーク装置がユーザ機器を呼び出す（page）必要がある場合、ページングメッセージを基地局に送信した後で、基地局は、ユーザ機器の現在のカバレッジレベルに従って特定の時点においてページングメッセージを処理し、処理したページングメッセージをユーザ機器に送信して、ユーザ機器がページングメッセージを適切に受信できるようにする。以下、本発明の実施形態において提供され��ページング方法を説明する。
【００４４】
実施形態1
図3は、本発明の実施形態1による、ページング方法の流れ図である。図3に示すように、本方法は、以下を含む。
【００４５】
301．基地局は、ユーザ機器のページングメッセージを受信する。
【００４６】
好ましくは、基地局は、S1を使用して、MMEが送信したユーザ機器のページングメッセージを受信してもよいし、Gbインターフェースを使用して、SGSNが送信したユーザ機器のページングメッセージを受信してもよい。
【００４７】
ページングメッセージは、ユーザ機器のユーザ識別情報を含み、アイドル状態のユーザ機器をウェークアップするために使用される。
【００４８】
302．基地局は、ユーザ機器のユーザ識別情報に従って、ユーザ機器のページング位置を計算する。
【００４９】
ページング位置は、ページングスケジューリング情報を送信するために使用され、ページングスケジューリング情報は、基地局が無線インターフェースページングメッセージをユーザ機器に送信した送信位置を示すために使用される。本発明の本実施形態では、ページングメッセージスケジューリングサイクルのフレームフォーマットが、図1に示すものとは異なることに留意されたい。図4に示すように、本発明の本実施形態では、各ページングサイクルは、いくつかのページングスーパーフレーム（Paging Super Frame）を含み、各ページングスーパーフレームは、いくつかのページングオケージョン（Paging Occasion）を含む。ページングオケージョンは、無線フレームであり、図1に示すページングフレームと等しく、ページングオケージョンは、ページング位置であり、下りリンク制御情報（Downlink Control Information、DCI）、例えば、ページングスケジューリング情報を運ぶために使用される。下りリンク制御情報の各部分は、1つの無線フレームを占め、図1に示す1つのページングオケージョンを占めることに等しい。
【００５０】
好ましくは、基地局は、ネットワーク構成のページングサイクル、ページングスーパーフレーム密度、およびユーザ機器の機器識別情報に従って、ページング位置が配置されるページングスーパーフレームを計算し、例えば、数式：SFN mod T＝（T div N）＊（UE＿ID mod N）に従って、ページングメッセージが配置されるページングスーパーフレームを判定し、
1つのページングスーパーフレーム内のページングオケージョンの数、ユーザ機器の機器識別情報、およびページングスーパーフレーム密度に従って、ページング位置が配置されるページングオケージョンを計算し、例えば、数式：PO＝floor（UE＿ID／N）mod Nsに従って、ページングメッセージが配置されるページングオケージョンを判定してもよい。
【００５１】
上述の数式の記号：「mod」は、2つの整数を除して、余りを取ること示し、「div」は、2つの整数を除することを示し、「＊」は、2つの整数を乗ずることを示し、「floor」は、切り捨てを示し、「／」は、2つの数を除することを示す。
【００５２】
上述の数式のパラメータ：UE＿IDは、ユーザ機器を識別するために使用される、ユーザ機器の機器識別情報を示し、以下の識別情報、すなわち、国際移動体加入者識別番号（英語：International Mobile Subscriber Identification Number、略称IMSI）、一時的モバイル加入者識別情報（英語：Temporary Mobile Subscriber Identity、略称TMSI）、グローバル一意一時的UE識別情報Globally Unique Temporary UE Identityおよび国際移動体装置識別番号（英語：International Mobile Equipment Identity、略称IMEI）のうちのいずれか1つであり得る。
【００５３】
Tは、ページングサイクルを示す。
【００５４】
Nsは、1つの下りリンク制御情報間隔（DCI interval）におけるページングオケージョン（PO）の数を示し、値は、Ns＝ceil（the length of a super frame／the length of DCI interval）、つまり、ページングオケージョンの数は、ページングスーパーフレームの長さを下りリンク制御情報間隔によって除した商を切り上げることによって得られる整数値に等しい。例えば、現在のM2M通信システムでは、スーパーフレームの長さは、64無線フレーム（radio frame）である。このケースでは、DCI intervalが64 radio frameの場合、Nsは最大で1であり、DCI intervalが32 radio frameの場合、Nsは最大で2であり、またはDCI intervalが1 radio frameの場合、Nsは最大で64である。
【００５５】
Nは、ページングサイクルにおけるページングスーパーフレーム密度を示す。例えば、N＝T／4は、1つのページングサイクルTにおいて、4つのスーパーフレーム毎に1つのページングスーパーフレームだけを有することを示し、N＝T／2は、1つのページングサイクルTにおいて、2つのスーパーフレーム毎に1つのページングスーパーフレームだけを有することを示し、N＝Tは、1つのページングサイクルTにおいて、スーパーフレーム毎に1つのページングスーパーフレームであってもよいことを示す。
【００５６】
303．基地局は、ユーザ機器のカバレッジレベルを判定する。
【００５７】
カバレッジレベルは、ユーザ機器が配置される位置のネットワークカバレッジ強度を示すために使用され、システム規則に従って、異なるレベルに分割される。一般的に、狭帯域システムでは3つのカバレッジレベルが設計され、それぞれ、レベル0、レベル1、およびレベル2である。より高位のカバレッジレベルは、ネットワークカバレッジ強度が低いことを示し、ネットワークカバレッジ強度を強めることができる変調および符号化スキームを使用することがより必要である。カバレッジレベルは、ページングメッセージに含まれてもよいし、基地局に予め記憶してもよい。
【００５８】
加えて、カバレッジレベルがページングメッセージに含まれていない場合、または基地局に予め記憶されていない場合、基地局は、ユーザ機器のカバレッジレベルが、最下位のカバレッジレベルであると判定する。
【００５９】
304．基地局は、ユーザ機器のカバレッジレベルに従って、無線インターフェースページングメッセージをユーザ機器に送信し、ページング位置においてページングスケジューリング情報を送信し、ページングスケジューリング情報が、無線インターフェースページングメッセージが送信された位置を示すために使用され、無線インターフェースページングメッセージが、ユーザ機器のページングメッセージを含む。
【００６０】
無線インターフェースページングメッセージは、同じ無線インターフェース上で送信された1つ以上のM2Mページングメッセージである。
【００６１】
好ましくは、基地局は、ユーザ機器と同じページング位置およびカバレッジレベルである、ページング位置およびカバレッジレベルを有するページングメッセージを結合して、同じページング記録リストにし、
ページング記録リストをユーザ機器に対応する無線インターフェースページングメッセージに含め、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信する。
【００６２】
ページング記録リストは、ページングメッセージと、ページングメッセージとユーザ機器との間の対応と、を含む。
【００６３】
カバレッジレベルと変調および符号化スキーム（MCS）との間の対応は、要件に従って、M2M通信処理において設定され、これは、本発明の本実施形態において限定されるものではない。
【００６４】
例えば、ユーザ機器1のページング位置におけるページングスーパーフレームが第1のスーパーフレームである場合、ページングオケージョンは、第6の無線フレームであり、ユーザ機器1のカバレッジレベルは、レベル1であり、ユーザ機器2のページング位置におけるページングスーパーフレームが第1のスーパーフレームである場合、ページングオケージョンは、第6の無線フレームであり、ユーザ機器2のカバレッジレベルは、レベル1であり、ユーザ機器3のページング位置におけるページングスーパーフレームが第1のスーパーフレームである場合、ページングオケージョンは、第6の無線フレームであり、ユーザ機器3のカバレッジレベルは、レベル1であり、ユーザ機器1、ユーザ機器2、およびユーザ機器3のページングメッセージが、同じページング記録リストに結合されてもよく、ページング記録リストが、無線インターフェースを使用して送信される。
【００６５】
【表１】
2018503321.tif 000003
【００６６】
明らかに、ステップ304において、基地局は、デフォルトの変調および符号化スキーム（例えば、最下位のカバレッジレベルに対応する変調および符号化スキーム）を使用して、ページングメッセージを送信してもよいし、MMEまたはSGSNが送信したユーザ機器のカバレッジレベルに従って、対応する変調および符号化スキームを使用して、ページングメッセージを送信してもよいし、基地局の内部に記憶したユーザ機器のカバレッジレベルに従って、対応する変調および符号化スキームを使用して、設定されたページングメッセージを送信してもよい。したがって、ユーザ機器のカバレッジレベルに従って、ページングメッセージをユーザ機器に送信して、異なるカバレッジレベルにあるユーザ機器が、ある程度まで、ユーザ機器に対応するページングメッセージを取得し、ページングが成功したことを示す応答メッセージをMMEおよびSGSNに返すことが実施される。しかしながら、ユーザ機器はある程度まで移動する場合があり、かつユーザ機器が配置される通信環境が変わるため、この時に基地局が判定したユーザ機器のカバレッジレベルは、ユーザ機器の現在のカバレッジレベルを正確に表すことはできず、カバレッジレベルに対応するMCSに従って、変調および符号化した後でページングメッセージを送信した場合、ユーザ機器は、ユーザ機器がページングスケジューリング情報の解析に失敗するのでページングメッセージを取得できず、その結果、ページングメッセージの再送信をさらにもたらす。したがって、ユーザ機器のページングメッセージを再送信する回数を減らすために、本方法は、
基地局がユーザ機器のページングメッセージの再送信を命令するために使用される再送信指示情報を受信した場合、ユーザ機器のカバレッジレベルを再判定するステップと、
ユーザ機器の再判定されたカバレッジレベルに従って、無線インターフェースページングメッセージをユーザ機器に送信するステップと、
をさらに含む。
【００６７】
例示的には、ユーザ機器のカバレッジレベルを再判定するステップが、
基地局が受信した再送信指示メッセージが、ユーザ機器の現在のカバレッジレベルを含む場合、ユーザ機器のカバレッジレベルが現在のカバレッジレベルであると判定するステップ、または
基地局が受信した再送信指示メッセージが、ユーザ機器の現在のカバレッジレベルを含まない場合、ユーザ機器のカバレッジレベルをすぐ下位のカバレッジレベルに下げるか、もしくはユーザ機器のカバレッジレベルが最下位のカバレッジレベルであると判定するステップ
を含み得る。
【００６８】
上記より、本発明の実施形態は、ページング方法を提供することがわかる。ユーザ機器のページングメッセージを受信すると、基地局は、ユーザ機器のページング位置を計算し、ユーザ機器のカバレッジレベルを判定し、基地局は、ユーザ機器のカバレッジレベルに従って、無線インターフェースページングメッセージをユーザ機器に送信し、ページング位置においてページングスケジューリング情報を送信し、ページングスケジューリング情報が、無線インターフェースページングメッセージが送信された位置を示すために使用され、無線インターフェースページングメッセージが、ユーザ機器のページングメッセージを含む。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【００６９】
実施形態2
図5は、本発明の実施形態2による、ページング方法の流れ図である。図5に示すように、本方法は、以下を含む。
【００７０】
501．ユーザ機器は、ページング位置において、基地局が送信したページングスケジューリング情報を受信する。
【００７１】
ページングスケジューリングメッセージが、ユーザ機器のカバレッジレベルに対応する変調および符号化スキーム（MCS）に従って符号化され、基地局がユーザ機器に送信した無線インターフェースページングメッセージの位置を示すために使用され、ユーザ機器のカバレッジレベルが、ユーザ機器によってMMEまたはSGSNに報告され、MMEまたはSGSNによって基地局に伝達される。
【００７２】
無線インターフェースページングメッセージは、ページングメッセージ記録リストを含み、ページングメッセージ記録リストは、少なくとも1つのユーザ機器のページングメッセージと、ユーザ機器のページングメッセージとユーザ機器との間の対応と、を含む。ページングメッセージリストでは、各ユーザ機器のページングメッセージのページング位置およびカバレッジレベルは、ユーザ機器のページング位置およびカバレッジレベルと同じである。
【００７３】
ユーザ機器によってページング位置を計算するための方法は、基地局によってページング位置を計算するための方法と同じであることに留意されたく、ここでは細部を説明しない。
【００７４】
502．ユーザ機器は、ユーザ機器の現在のカバレッジレベルに対応するMCSに従って、ページングスケジューリング情報を復号する。
【００７５】
ユーザ機器は、参照信号受信電力（英語：Reference Signal Receiving Power、略称RSRP）に従って、ユーザ機器の現在のカバレッジレベルを判定し得る。
【００７６】
さらに、ユーザ機器が、ページングスケジューリング情報の解析に成功した場合、基地局がページングスケジューリング情報を送信した時に使用したカバレッジレベルが、ユーザ機器の現在のカバレッジレベルと同じまたはそれよりも下位であることを示し、本方法は、
ユーザ機器によって、ページングスケジューリング情報が示す位置に従って、基地局が送信した無線インターフェースページングメッセージを受信し、無線インターフェースページングメッセージからユーザ機器のページングメッセージを取得するステップと、
をさらに含む。
【００７７】
ユーザ機器がページングスケジューリング情報の解析に失敗した場合、基地局がページングスケジューリング情報を送信した時に使用したカバレッジレベルが、ユーザ機器の現在のカバレッジレベルよりも高位であることを示し、ユーザ機器は、ユーザ機器の現在のカバレッジレベルをMMEまたはSGSNに報告する必要がある。
【００７８】
例示的には、ユーザ機器が、ユーザ機器の現在のカバレッジレベルをMMEまたはSGSNに報告することが、
ユーザ機器によって、ユーザ機器の現在のカバレッジレベルを運ぶランダムアクセスメッセージを基地局に報告し、ユーザ機器の現在のカバレッジレベルをMMEまたはSGSNに報告するように基地局に命令するステップ、または
ユーザ機器によって、ユーザ機器の現在のカバレッジを運ぶ、登録アタッチ（Attach）メッセージ、トラッキングエリア更新（Tracking Area Update、TAU）メッセージ、またはルーティングエリア更新（Route Area Update、RAU）メッセージを基地局に報告し、Attachメッセージ、TAUメッセージ、またはRAUメッセージをMMEまたはSGSNに転送するように基地局に命令するステップ
を含み得る。
【００７９】
上記より、本発明の実施形態は、ページング方法を提供することがわかる。ユーザ機器が、基地局が送信したページングスケジューリング情報を受信した後、ユーザ機器がページングスケジューリング情報の解析に成功した場合、ユーザ機器は、ページングスケジューリング情報が示す位置に従って、基地局が送信した無線インターフェースページングメッセージを受信し、無線インターフェースページングメッセージからユーザ機器のページングメッセージを取得する、またはユーザ機器が、ページングスケジューリング情報の解析に失敗した場合、ユーザ機器は、ユーザ機器の現在のカバレッジレベルを基地局に報告して、ページングメッセージをユーザ機器に再送信する場合、ユーザ機器の現在のカバレッジレベルに従って、基地局がメッセージをユーザ機器に再送信するようにする。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【００８０】
以下、例として図2に示す適用シナリオを使用して、実施形態3を用いて、詳細に本発明で提供されるページング方法を説明する。
【００８１】
実施形態3
図6Aおよび図6Bは、本発明の本実施形態による、ページング方法の流れ図である。図6Aおよび図6Bに示すように、本方法は、以下を含む。
【００８２】
601．コアネットワーク装置は、ユーザ機器のページングメッセージを基地局に送信する。
【００８３】
好ましくは、コアネットワーク装置は、S1インターフェースまたはGbインターフェースを使用して、ユーザ機器のページングメッセージを基地局に送信する。
【００８４】
ページングメッセージは、アイドル状態のユーザ機器をウェークアップするために使用される。
【００８５】
602．基地局は、ユーザ機器のページング位置を計算する。
【００８６】
ページング位置は、ページングスーパーフレームおよびページングオケージョンによって判定され、ページングスケジューリング情報を送信するために使用され、ページングスケジューリング情報は、基地局が無線インターフェースページングメッセージをユーザ機器に送信した送信位置を示すために使用される。
【００８７】
好ましくは、基地局は、ネットワーク構成のページングサイクル、ページングスーパーフレーム密度、およびユーザ機器の機器識別情報に従って、ページングスーパーフレームを計算し、例えば、数式：SFN mod T＝（T div N）＊（UE＿ID mod N）に従って、ページング位置が配置されるページングスーパーフレームを判定し、
1つのページングスーパーフレーム内のページングオケージョンの数、ユーザ機器の機器識別情報、およびページングスーパーフレーム密度に従って、ページングオケージョンを計算し、例えば、数式：PO＝floor（UE＿ID／N）mod Nsに従って、ページング位置が配置されるページングオケージョンを判定し得る。
【００８８】
603．基地局は、ユーザ機器のカバレッジレベルを判定する。
【００８９】
カバレッジレベルは、ユーザ機器が配置される位置のネットワークカバレッジ強度を示すために使用され、システム規則に従って、異なるレベルに分割される。一般的に、狭帯域システムでは3つのカバレッジレベルが設計され、それぞれ、レベル0、レベル1、およびレベル2である。より高位のカバレッジレベルは、ネットワークカバレッジ強度が低いことを示し、ネットワークカバレッジ強度を強めることができる変調および符号化スキームを使用することがより必要である。カバレッジレベルは、ページングメッセージに含まれてもよいし、基地局に予め記憶してもよい。
【００９０】
加えて、カバレッジレベルがページングメッセージに含まれていない場合、または基地局に予め記憶されていない場合、基地局は、ユーザ機器のカバレッジレベルが、最下位のカバレッジレベルであると判定する。
【００９１】
604．基地局は、ユーザ機器のカバレッジレベルに従って、無線インターフェースページングメッセージをユーザ機器に送信し、ページング位置においてページングスケジューリング情報を送信する。
【００９２】
ページングスケジューリング情報は、無線インターフェースページングメッセージが送信された位置を示すために使用され、無線インターフェースページングメッセージは、ユーザ機器のページングメッセージを含み、無線インターフェースページングメッセージは、同じ無線インターフェース上で送信されるユーザ機器の1つ以上のページングメッセージである。
【００９３】
好ましくは、基地局は、ユーザ機器と同じページング位置およびカバレッジレベルである、ページング位置およびカバレッジレベルを有するページングメッセージを結合して、同じページング記録リストにし、
ページング記録リストをユーザ機器に対応する無線インターフェースページングメッセージに含め、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信する。
【００９４】
ページング記録リストは、ページングメッセージと、ページングメッセージとユーザ機器との間の対応と、を含む。
【００９５】
605．ユーザ機器は、ページング位置において、基地局が送信したページングスケジューリング情報を受信する。
【００９６】
ユーザ機器によってページング位置を計算するための方法は、基地局によってページング位置を計算するための方法と同じであることに留意されたい。
【００９７】
606．ユーザ機器は、ページングスケジューリングメッセージを解析し、ユーザ機器が、ページングスケジューリング情報の解析に成功した場合、ステップ607および608が行われ、ユーザ機器が、ページングスケジューリング情報の解析に失敗した場合、ステップ609および610が行われる。
【００９８】
好ましくは、ユーザ機器は、ユーザ機器が判定したカバレッジレベルに対応する変調および符号化スキームを使用して、ページングスケジューリングメッセージを解析し得る。ユーザ機器は、参照信号受信電力（英語：Reference Signal Receiving Power、略称RSRP）に従って、ユーザ機器のカバレッジレベルを判定し得る。
【００９９】
607．ユーザ機器は、ページングスケジューリング情報が示す位置に従って、基地局が送信した無線インターフェースページングメッセージを受信し、無線インターフェースページングメッセージからユーザ機器のページングメッセージを取得する。
【０１００】
608．ユーザ機器は、基地局を使用して、ページングが成功したことを示すために使用される応答メッセージをコアネットワーク装置に返す。
【０１０１】
609．ユーザ機器は、ユーザ機器の現在のカバレッジレベルを運ぶランダムアクセスメッセージを基地局に報告する。
【０１０２】
610．基地局は、第1のS1またはGbインターフェースを使用して、ユーザ機器の現在のカバレッジレベルを運ぶランダムアクセスメッセージをコアネットワーク装置に報告する。
【０１０３】
611．予め設定した時間内に応答メッセージをなんら受信しない場合、コアネットワーク装置は、第2のS1またはGbインターフェースを使用して、再送信指示情報を基地局に送信し、再送信指示情報は、ユーザ機器のページングメッセージの再送信を命令するために使用される指示情報であり、再送信指示メッセージが、ユーザ機器の現在のカバレッジレベルを含む場合、ステップ612が行われ、再送信指示メッセージが、ユーザ機器の現在のカバレッジレベルを含まない場合、ステップ613が行われる。
【０１０４】
612．基地局は、第2のS1またはGbインターフェースを使用して取得したユーザ機器のカバレッジレベルに従って、ページングメッセージをユーザ機器に再送信する。
【０１０５】
613．基地局は、ユーザ機器のカバレッジレベルが、すぐ下位のカバレッジレベルまたは最下位のカバレッジレベルであると再判定する。
【０１０６】
614．基地局は、ユーザ機器の再判定されたカバレッジレベルに従って、ページングメッセージをユーザ機器に送信する。
【０１０７】
上記より、本発明の実施形態は、ページング方法を提供することがわかる。コアネットワーク装置が送信したユーザ機器のページングメッセージを受信した後、基地局は、ユーザ機器のページング位置を計算し、ユーザ機器の判定されたカバレッジレベルに従って、無線インターフェースページングメッセージをユーザ機器に送信し、ページング位置においてページングスケジューリング情報を送信し、基地局が送信したページングスケジューリング情報を受信した後、ユーザ機器がページングスケジューリングメッセージを解析し、ページングメッセージを取得し、解析が成功した場合、ユーザ機器は、応答メッセージを返し、解析が失敗した場合、ユーザ機器は、ユーザ機器の現在のカバレッジレベルを報告して、基地局が、現在のカバレッジレベルに従って、ページングメッセージをユーザ機器に再送信するようにする、または、ユーザ機器は、現在のカバレッジレベルを報告せずに、基地局が、再判定されたカバレッジレベルに従って、ページングメッセージをユーザ機器に再送信するようにする。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１０８】
実施形態4
図7は、基地局70の構造図を示し、基地局70は、実施形態1で説明したページング方法を実行する。図7に示すように、基地局70は、受信ユニット701と、計算ユニット702と、判定ユニット703と、送信ユニット704と、を含み得る。
【０１０９】
受信ユニット701は、ユーザ機器のページングメッセージを受信するように構成される。
【０１１０】
ページングメッセージは、ユーザ機器のユーザ識別情報を含み、アイドル状態のユーザ機器をウェークアップするために使用される。
【０１１１】
計算ユニット702は、受信ユニット701が受信したユーザ識別情報に従って、ユーザ機器のページング位置を計算するように構成される。
【０１１２】
ページング位置は、ページングスケジューリング情報を送信するために使用され、ページングスケジューリング情報は、基地局が無線インターフェースページングメッセージをユーザ機器に送信した送信位置を示すために使用される。本発明の本実施形態では、ページングメッセージスケジューリングサイクルのフレームフォーマットが、図1に示すものとは異なることに留意されたい。図4に示すように、本発明の本実施形態では、各ページングサイクルは、いくつかのページングスーパーフレーム（Paging Super Frame）を含み、各ページングスーパーフレームは、いくつかのページングオケージョン（Paging Occasion）を含む。ページングオケージョンは、無線フレームであり、図1に示すページングフレームと等しく、ページングオケージョンは、ページング位置であり、下りリンク制御情報（Downlink Control Information、DCI）、例えば、ページングスケジューリング情報を運ぶために使用される。下りリンク制御情報の各部分は、1つの無線フレームを占め、図1に示す1つのページングオケージョンを占めることに等しい。
【０１１３】
判定ユニット703は、受信ユニット701が受信したユーザ識別情報に従って、ユーザ機器のカバレッジレベルを判定するように構成される。
【０１１４】
カバレッジレベルは、ユーザ機器が配置される位置のネットワークカバレッジ強度を示すために使用され、システム規則に従って、異なるレベルに分割される。一般的に、狭帯域システムでは3つのカバレッジレベルが設計され、それぞれ、レベル0、レベル1、およびレベル2である。より高位のカバレッジレベルは、ネットワークカバレッジ強度が低いことを示し、ネットワークカバレッジ強度を強めることができる変調および符号化スキームを使用することがより必要である。カバレッジレベルは、ページングメッセージに含まれてもよいし、基地局に予め記憶してもよい。
【０１１５】
加えて、カバレッジレベルがページングメッセージに含まれていない場合、または基地局に予め記憶されていない場合、判定ユニット703は、ユーザ機器のカバレッジレベルが、最下位のカバレッジレベルであると判定する。
【０１１６】
送信ユニット704は、判定ユニット703が判定したユーザ機器のカバレッジレベルに従って、無線インターフェースページングメッセージをユーザ機器に送信し、計算ユニット702が計算したページング位置においてページングスケジューリング情報を送信するように構成され、ページングスケジューリング情報が、無線インターフェースページングメッセージが送信された位置を示すために使用され、無線インターフェースページングメッセージが、ユーザ機器のページングメッセージを含む。
【０１１７】
無線インターフェースページングメッセージは、同じ無線インターフェース上で送信された1つ以上のM2Mページングメッセージである。
【０１１８】
さらに、受信ユニット701は、
S1を使用して、MMEが送信したユーザ機器のページングメッセージを受信する、またはGbインターフェースを使用して、SGSNが送信したユーザ機器のページングメッセージを受信する
ように特に構成される。
【０１１９】
さらに、計算ユニット702は、
ネットワーク構成のページングサイクル、ページングスーパーフレーム密度、およびユーザ機器の機器識別情報に従って、ページングスーパーフレームを計算し、例えば、数式：SFN mod T＝（T div N）＊（UE＿ID mod N）に従って、ページング位置が配置されるページングスーパーフレームを判定し、
1つのページングスーパーフレーム内のページングオケージョンの数、ユーザ機器の機器識別情報、およびページングスーパーフレーム密度に従って、ページングオケージョンを計算し、例えば、数式：PO＝floor（UE＿ID／N）mod Nsに従って、ページング位置が配置されるページングオケージョンを判定する
ように特に構成される。
【０１２０】
上述の数式の記号：「mod」は、2つの整数を除して、余りを取ること示し、「div」は、2つの整数を除することを示し、「＊」は、2つの整数を乗ずることを示し、「floor」は、切り捨てを示し、「／」は、2つの数を除することを示す。
【０１２１】
上述の数式のパラメータ：UE＿IDは、ユーザ機器を識別するために使用される、ユーザ機器の機器識別情報を示し、以下の識別情報、すなわち、国際移動体ユーザ識別番号（英語：International Mobile Subscriber Identification Number、略称IMSI）、一時的モバイルユーザ識別情報（英語：Temporary Mobile User Identity、略称 TMSI）、グローバル一意一時的UE識別情報Globally Unique Temporary UE Identityおよび国際移動体装置識別番号（英語：International Mobile Equipment Identity、略称IMEI）のうちのいずれか1つであり得る。
【０１２２】
Tは、ページングサイクルを示す。
【０１２３】
Nsは、1つの下りリンク制御情報間隔（DCI interval）におけるページングオケージョン（PO）の数を示し、値は、Ns＝ceil（the length of a super frame／the length of DCI interval）、つまり、ページングオケージョンの数は、ページングスーパーフレームの長さを下りリンク制御情報間隔によって除した商を切り上げることによって得られる整数値に等しい。例えば、現在のM2M通信システムでは、スーパーフレームの長さは、64無線フレーム（radio frame）である。このケースでは、DCI intervalが64 radio frameの場合、Nsは最大で1であり、DCI intervalが32 radio frameの場合、Nsは最大で2であり、またはDCI intervalが1 radio frameの場合、Nsは最大で64である。
【０１２４】
Nは、ページングサイクルにおけるページングスーパーフレーム密度を示す。例えば、N＝T／4は、1つのページングサイクルTにおいて、4つのスーパーフレーム毎に1つのページングスーパーフレームだけを有することを示し、N＝T／2は、1つのページングサイクルTにおいて、2つのスーパーフレーム毎に1つのページングスーパーフレームだけを有することを示し、N＝Tは、1つのページングサイクルTにおいて、スーパーフレーム毎に1つのページングスーパーフレームであってもよいことを示す。
【０１２５】
さらに、送信ユニット704は、
ユーザ機器と同じページング位置およびカバレッジレベルである、ページング位置およびカバレッジレベルを有するページングメッセージを結合して、同じページング記録リストにし、
ページング記録リストをユーザ機器に対応する無線インターフェースページングメッセージに含め、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信する
ように特に構成される。
【０１２６】
ページング記録リストは、ページングメッセージと、ページングメッセージとユーザ機器との間の対応と、を含む。
【０１２７】
カバレッジレベルと変調および符号化スキーム（MCS）との間の対応は、要件に従って、M2M通信処理において設定され、これは、本発明の本実施形態において限定されるものではない。
【０１２８】
例えば、ユーザ機器1のページング位置におけるページングスーパーフレームが第1のスーパーフレームである場合、ページングオケージョンは、第6の無線フレームであり、ユーザ機器1のカバレッジレベルは、レベル1であり、ユーザ機器2のページング位置におけるページングスーパーフレームが第1のスーパーフレームである場合、ページングオケージョンは、第6の無線フレームであり、ユーザ機器2のカバレッジレベルは、レベル1であり、ユーザ機器3のページング位置におけるページングスーパーフレームが第1のスーパーフレームである場合、ページングオケージョンは、第6の無線フレームであり、ユーザ機器3のカバレッジレベルは、レベル1であり、ユーザ機器1、ユーザ機器2、およびユーザ機器3のページングメッセージが、同じページング記録リストに結合されてもよく、ページング記録リストが、無線インターフェースを使用して送信される。
【０１２９】
明らかに、基地局は、デフォルトの変調および符号化スキーム（例えば、最下位のカバレッジレベルに対応する変調および符号化スキーム）を使用して、ページングメッセージを送信してもよいし、MMEまたはSGSNが送信したユーザ機器のカバレッジレベルに従って、対応する変調および符号化スキームを使用して、ページングメッセージを送信してもよいし、基地局の内部に記憶したユーザ機器のカバレッジレベルに従って、対応する変調および符号化スキームを使用して、設定されたページングメッセージを送信してもよい。したがって、ユーザ機器のカバレッジレベルに従って、ページングメッセージをユーザ機器に送信して、異なるカバレッジレベルにあるユーザ機器が、ある程度まで、ユーザ機器に対応するページングメッセージを判定し、ページングが成功したことを示す応答メッセージをMMEおよびSGSNに返すことが実施される。しかしながら、ユーザ機器はある程度まで移動する場合があり、かつユーザ機器が配置される通信環境が変わるため、この時に基地局が判定したユーザ機器のカバレッジレベルは、ユーザ機器の現在のカバレッジレベルを正確に表すことはできず、カバレッジレベルに対応するMCSに従って、変調および符号化した後でページングメッセージを送信した場合、ユーザ機器は、ユーザ機器がページングスケジューリング情報の解析に失敗するのでページングメッセージを取得できず、その結果、ページングメッセージの再送信をさらにもたらす。
【０１３０】
したがって、ユーザ機器のページングメッセージを再送信する回数を減らすために、判定ユニット703は、受信ユニット701がユーザ機器のページングメッセージの再送信を命令するために使用される再送信指示情報を受信した場合、ユーザ機器のカバレッジレベルを再判定するようにさらに構成される。
【０１３１】
送信ユニット704は、判定ユニット703が再判定したユーザ機器のカバレッジレベルに従って、無線インターフェースページングメッセージをユーザ機器に送信するようにさらに構成される。
【０１３２】
さらに、判定ユニット703が、
受信ユニット701が受信した再送信指示メッセージが、ユーザ機器の現在のカバレッジレベルを含む場合、ユーザ機器のカバレッジレベルが現在のカバレッジレベルであると判定すること、または
受信ユニット701が受信した再送信指示メッセージが、ユーザ機器の現在のカバレッジレベルを含まない場合、ユーザ機器のカバレッジレベルをすぐ下位のカバレッジレベルに下げるか、もしくはユーザ機器のカバレッジレベルが最下位のカバレッジレベルであると判定すること
を行うように特に構成される。
【０１３３】
上記より、本発明の実施形態は、基地局を提供することがわかる。ユーザ機器のページングメッセージを受信すると、基地局は、ユーザ機器のページング位置を計算し、ユーザ機器のカバレッジレベルを判定し、基地局は、ユーザ機器のカバレッジレベルに従って、無線インターフェースページングメッセージをユーザ機器に送信し、ページング位置においてページングスケジューリング情報を送信し、ページングスケジューリング情報が、無線インターフェースページングメッセージが送信された位置を示すために使用され、無線インターフェースページングメッセージが、ユーザ機器のページングメッセージを含む。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１３４】
実施形態5
図8は、ユーザ機器80の構造図を示し、ユーザ機器は、実施形態2で説明したページング方法を実行するように構成される。図8に示すように、ユーザ機器80は、受信ユニット801と、解析ユニット802と、を含み得る。
【０１３５】
受信ユニット801は、ページング位置において、基地局が送信したページングスケジューリング情報を受信するように構成される。
【０１３６】
ページングスケジューリングメッセージが、ユーザ機器のカバレッジレベルに対応する変調および符号化スキーム（MCS）に従って符号化され、基地局がユーザ機器に送信した無線インターフェースページングメッセージの位置を示すために使用され、ユーザ機器のカバレッジレベルが、ユーザ機器によってMMEまたはSGSNに報告され、MMEまたはSGSNによって基地局に伝達される。
【０１３７】
無線インターフェースページングメッセージは、ページングメッセージ記録リストを含み、ページングメッセージ記録リストは、少なくとも1つのユーザ機器のページングメッセージと、ユーザ機器のページングメッセージとユーザ機器との間の対応と、を含む。ページングメッセージリストでは、各ユーザ機器のページングメッセージのページング位置およびカバレッジレベルは、ユーザ機器のページング位置およびカバレッジレベルと同じである。
【０１３８】
ユーザ機器によってページング位置を計算するための方法は、基地局によってページング位置を計算するための方法と同じであることに留意されたく、ここでは細部を説明しない。
【０１３９】
解析ユニット802は、ユーザ機器の現在のカバレッジレベルに対応するMCSに従って、受信ユニット801が受信したページングスケジューリング情報を復号するように構成される。
【０１４０】
さらに、解析ユニット802が、ページングスケジューリング情報の解析に成功した場合、基地局がページングスケジューリング情報を送信した時に使用したカバレッジレベルが、ユーザ機器の現在のカバレッジレベルと同じまたはそれよりも下位であることを示す。図8Aに示すように、ユーザ機器は、
ページングスケジューリング情報が示す位置に従って、基地局が送信した無線インターフェースページングメッセージを受信し、無線インターフェースページングメッセージからユーザ機器のページングメッセージを取得するように構成される取得ユニット803
をさらに備える。
【０１４１】
さらに、解析ユニット802が、ページングスケジューリング情報の解析に失敗した場合、基地局がページングスケジューリング情報を送信した時に使用したカバレッジレベルが、ユーザ機器の現在のカバレッジレベルよりも高位であることを示す。図8Bに示すように、ユーザ機器は、
ユーザ機器の現在のカバレッジレベルをMMEまたはSGSNに報告するように構成される報告ユニット804
をさらに備える。
【０１４２】
さらに報告ユニット804が、
ユーザ機器の現在のカバレッジレベルを運ぶランダムアクセスメッセージを基地局に報告し、ユーザ機器の現在のカバレッジレベルをMMEまたはSGSNに報告するように基地局に命令すること、または
ユーザ機器の現在のカバレッジを運ぶ、登録アタッチ（Attach）メッセージ、トラッキングエリア更新（TAU）メッセージ、またはルーティングエリア更新（RAU）メッセージを基地局に報告し、Attachメッセージ、TAUメッセージ、またはRAUメッセージをMMEまたはSGSNに転送するように基地局に命令すること
を行うように特に構成される。
【０１４３】
上記より、本発明の実施形態は、ユーザ機器を提供することがわかる。ユーザ機器が、基地局が送信したページングスケジューリング情報を受信した後、ユーザ機器がページングスケジューリング情報の解析に成功した場合、ユーザ機器は、ページングスケジューリング情報が示す位置に従って、基地局が送信した無線インターフェースページングメッセージを受信し、無線インターフェースページングメッセージからユーザ機器のページングメッセージを取得する、またはユーザ機器が、ページングスケジューリング情報の解析に失敗した場合、ユーザ機器は、ユーザ機器の現在のカバレッジレベルを基地局に報告して、ページングメッセージをユーザ機器に再送信する場合、ユーザ機器の現在のカバレッジレベルに従って、基地局がメッセージをユーザ機器に再送信するようにする。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１４４】
実施形態6
図9は、ページングシステムの構造図を示し、ページングシステムは、実施形態3で説明したページング方法を実行するために使用される。図9に示すように、ページングシステムは、基地局90と、少なくとも1つのユーザ機器91と、コアネットワーク装置92と、を含み得る。
【０１４５】
基地局90の機能は、上述の実施形態4における基地局70の機能と同じであり、ユーザ機器91の機能は、上述の実施形態5におけるユーザ機器80の機能と同じである。ここでは細部を説明しない。
【０１４６】
コアネットワーク装置92は、MMEまたはSGSNであってよく、M2M91のページングメッセージを基地局90に送信する、またはユーザ機器のページングメッセージの再送信を命令するために使用される再送信指示情報を送信するように構成される。
【０１４７】
上記より、本発明の実施形態は、ページングシステムを提供することがわかる。コアネットワーク装置が送信したユーザ機器のページングメッセージを受信した後、基地局は、ユーザ機器のページング位置を計算し、ユーザ機器の判定されたカバレッジレベルに従って、無線インターフェースページングメッセージをユーザ機器に送信し、ページング位置においてページングスケジューリング情報を送信し、基地局が送信したページングスケジューリング情報を受信した後、ユーザ機器がページングスケジューリングメッセージを解析し、ページングメッセージを取得し、解析が成功した場合、ユーザ機器は、応答メッセージを返し、解析が失敗した場合、ユーザ機器は、ユーザ機器の現在のカバレッジレベルを報告して、基地局が、現在のカバレッジレベルに従って、ページングメッセージをユーザ機器に再送信するようにする、または、ユーザ機器は、現在のカバレッジレベルを報告せずに、基地局が、再判定されたカバレッジレベルに従って、ページングメッセージをユーザ機器に再送信するようにする。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１４８】
実施形態7
図10は、基地局の構造図を示し、基地局は、実施形態1で説明したページング方法を実行するように構成される。図10に示すように、基地局100は、通信ユニット1001と、プロセッサ1002と、メモリ1003と、少なくとも1つの通信バス1004と、を含み、通信バス1004は、これらの装置間の接続および相互通信を実現するように構成され得る。
【０１４９】
通信ユニット1001は、外部ネットワーク要素とのデータ伝送を行うように構成される。
【０１５０】
プロセッサ1002は、中央演算処理装置（英語：central processing unit、略称CPU）であってもよい。
【０１５１】
メモリ1003は、揮発性メモリ（英語：volatile memory）、例えば、ランダムアクセスメモリ（英語：random-access memory、略称RAM）であってもよいし、読み出し専用メモリ（英語：read-only memory、略称ROM）、フラッシュメモリ（英語：flash memory）、ハードディスクドライブ（英語：hard disk drive、略称HDD）、またはソリッドステートドライブ（英語：solid-state drive、略称SSD）などの不揮発性メモリ（英語：non-volatile memory）であってもよいし、上記のタイプのメモリの組み合わせであってもよく、命令およびデータをプロセッサ1002に提供する。
【０１５２】
通信ユニット1001は、ユーザ機器のページングメッセージを受信するように構成される。
【０１５３】
ページングメッセージは、ユーザ機器のユーザ識別情報を含み、アイドル状態のユーザ機器をウェークアップするために使用される。
【０１５４】
プロセッサ1002は、通信ユニット1001が受信したユーザ識別情報に従って、ユーザ機器のページング位置を計算するように構成される。
【０１５５】
ページング位置は、ページングスケジューリング情報を送信するために使用され、ページングスケジューリング情報は、基地局が無線インターフェースページングメッセージをユーザ機器に送信した送信位置を示すために使用される。本発明の本実施形態では、ページングメッセージスケジューリングサイクルのフレームフォーマットが、図1に示すものとは異なることに留意されたい。図4に示すように、本発明の本実施形態では、各ページングサイクルは、いくつかのページングスーパーフレーム（Paging Super Frame）を含み、各ページングスーパーフレームは、いくつかのページングオケージョン（Paging Occasion）を含む。ページングオケージョンは、無線フレームであり、図1に示すページングフレームと等しく、ページングオケージョンは、ページング位置であり、下りリンク制御情報（Downlink Control Information、DCI）、例えば、ページングスケジューリング情報を運ぶために使用される。下りリンク制御情報の各部分は、1つの無線フレームを占め、図1に示す1つのページングオケージョンを占めることに等しい。
【０１５６】
プロセッサ1002は、通信ユニット1001が受信したユーザ識別情報に従って、ユーザ機器のカバレッジレベルを判定するようにさらに構成される。
【０１５７】
カバレッジレベルは、ユーザ機器が配置される位置のネットワークカバレッジ強度を示すために使用され、システム規則に従って、異なるレベルに分割される。一般的に、狭帯域システムでは3つのカバレッジレベルが設計され、それぞれ、レベル0、レベル1、およびレベル2である。より高位のカバレッジレベルは、ネットワークカバレッジ強度が低いことを示し、ネットワークカバレッジ強度を強めることができる変調および符号化スキームを使用することがより必要である。カバレッジレベルは、ページングメッセージに含まれてもよいし、基地局に予め記憶してもよい。
【０１５８】
加えて、カバレッジレベルがページングメッセージに含まれていない場合、または基地局に予め記憶されていない場合、プロセッサ1002は、ユーザ機器のカバレッジレベルが、最下位のカバレッジレベルであると判定する。
【０１５９】
通信ユニット1001は、プロセッサ1002が判定したユーザ機器のカバレッジレベルに従って、無線インターフェースページングメッセージをユーザ機器に送信し、プロセッサ1002が計算したページング位置においてページングスケジューリング情報を送信するようにさらに構成され、ページングスケジューリング情報が、無線インターフェースページングメッセージが送信された位置を示すために使用され、無線インターフェースページングメッセージが、ユーザ機器のページングメッセージを含む。
【０１６０】
無線インターフェースページングメッセージは、同じ無線インターフェース上で送信された1つ以上のM2Mページングメッセージである。
【０１６１】
さらに、通信ユニット1001は、
S1を使用して、MMEが送信したユーザ機器のページングメッセージを受信する、またはGbインターフェースを使用して、SGSNが送信したユーザ機器のページングメッセージを受信する
ように特に構成される。
【０１６２】
さらに、プロセッサ1002は、
ネットワーク構成のページングサイクル、ページングスーパーフレーム密度、およびユーザ機器の機器識別情報に従って、ページングスーパーフレームを計算し、例えば、数式：SFN mod T＝（T div N）＊（UE＿ID mod N）に従って、ページング位置が配置されるページングスーパーフレームを判定し、
1つのページングスーパーフレーム内のページングオケージョンの数、ユーザ機器の機器識別情報、およびページングスーパーフレーム密度に従って、ページングオケージョンを計算し、例えば、数式：PO＝floor（UE＿ID／N）mod Nsに従って、ページング位置が配置されるページングオケージョンを判定する
ように特に構成される。
【０１６３】
上述の数式の記号：「mod」は、2つの整数を除して、余りを取ること示し、「div」は、2つの整数を除することを示し、「＊」は、2つの整数を乗ずることを示し、「floor」は、切り捨てを示し、「／」は、2つの数を除することを示す。
【０１６４】
上述の数式のパラメータ：UE＿IDは、ユーザ機器を識別するために使用される、ユーザ機器の機器識別情報を示し、以下の識別情報、すなわち、国際移動体ユーザ識別番号（英語：International Mobile Subscriber Identification Number、略称IMSI）、一時的モバイルユーザ識別情報（英語：Temporary Mobile User Identity、略称 TMSI）、グローバル一意一時的UE識別情報Globally Unique Temporary UE Identityおよび国際移動体装置識別番号（英語：International Mobile Equipment Identity、略称IMEI）のうちのいずれか1つであり得る。
【０１６５】
Tは、ページングサイクルを示す。
【０１６６】
Nsは、1つの下りリンク制御情報間隔（DCI interval）におけるページングオケージョン（PO）の数を示し、値は、Ns＝ceil（the length of a super frame／the length of DCI interval）、つまり、ページングオケージョンの数は、ページングスーパーフレームの長さを下りリンク制御情報間隔によって除した商を切り上げることによって得られる整数値に等しい。例えば、現在のM2M通信システムでは、スーパーフレームの長さは、64無線フレーム（radio frame）である。このケースでは、DCI intervalが64 radio frameの場合、Nsは最大で1であり、DCI intervalが32 radio frameの場合、Nsは最大で2であり、またはDCI intervalが1 radio frameの場合、Nsは最大で64である。
【０１６７】
Nは、ページングサイクルにおけるページングスーパーフレーム密度を示す。例えば、N＝T／4は、1つのページングサイクルTにおいて、4つのスーパーフレーム毎に1つのページングスーパーフレームだけを有することを示し、N＝T／2は、1つのページングサイクルTにおいて、2つのスーパーフレーム毎に1つのページングスーパーフレームだけを有することを示し、N＝Tは、1つのページングサイクルTにおいて、スーパーフレーム毎に1つのページングスーパーフレームであってもよいことを示す。
【０１６８】
さらに、通信ユニット1001は、
ユーザ機器と同じページング位置およびカバレッジレベルである、ページング位置およびカバレッジレベルを有するページングメッセージを結合して、同じページング記録リストにし、
ページング記録リストをユーザ機器に対応する無線インターフェースページングメッセージに含め、
カバレッジレベルと変調および符号化スキーム（MCS）との間で予め設定した対応に従って、ユーザ機器のカバレッジレベルに対応するMCSを使用して、無線インターフェースページングメッセージに対して変調および符号化を行い、変調および符号化した無線インターフェースページングメッセージをユーザ機器に送信する
ように特に構成される。
【０１６９】
ページング記録リストは、ページングメッセージと、ページングメッセージとユーザ機器との間の対応と、を含む。
【０１７０】
カバレッジレベルと変調および符号化スキーム（MCS）との間の対応は、要件に従って、M2M通信処理において設定され、これは、本発明の本実施形態において限定されるものではない。
【０１７１】
例えば、ユーザ機器1のページング位置におけるページングスーパーフレームが第1のスーパーフレームである場合、ページングオケージョンは、第6の無線フレームであり、ユーザ機器1のカバレッジレベルは、レベル1であり、ユーザ機器2のページング位置におけるページングスーパーフレームが第1のスーパーフレームである場合、ページングオケージョンは、第6の無線フレームであり、ユーザ機器2のカバレッジレベルは、レベル1であり、ユーザ機器3のページング位置におけるページングスーパーフレームが第1のスーパーフレームである場合、ページングオケージョンは、第6の無線フレームであり、ユーザ機器3のカバレッジレベルは、レベル1であり、ユーザ機器1、ユーザ機器2、およびユーザ機器3のページングメッセージが、同じページング記録リストに結合されてもよく、ページング記録リストが、無線インターフェースを使用して送信される。
【０１７２】
明らかに、基地局は、デフォルトの変調および符号化スキーム（例えば、最下位のカバレッジレベルに対応する変調および符号化スキーム）を使用して、ページングメッセージを送信してもよいし、MMEまたはSGSNが送信したユーザ機器のカバレッジレベルに従って、対応する変調および符号化スキームを使用して、ページングメッセージを送信してもよいし、基地局の内部に記憶したユーザ機器のカバレッジレベルに従って、対応する変調および符号化スキームを使用して、設定されたページングメッセージを送信してもよい。したがって、ユーザ機器のカバレッジレベルに従って、ページングメッセージをユーザ機器に送信して、異なるカバレッジレベルにあるユーザ機器が、ある程度まで、ユーザ機器に対応するページングメッセージを判定し、ページングが成功したことを示す応答メッセージをMMEおよびSGSNに返すことが実施される。しかしながら、ユーザ機器はある程度まで移動する場合があり、かつユーザ機器が配置される通信環境が変わるため、この時に基地局が判定したユーザ機器のカバレッジレベルは、ユーザ機器の現在のカバレッジレベルを正確に表すことはできず、カバレッジレベルに対応するMCSに従って、変調および符号化した後でページングメッセージを送信した場合、ユーザ機器は、ユーザ機器がページングスケジューリング情報の解析に失敗するのでページングメッセージを取得できず、その結果、ページングメッセージの再送信をさらにもたらす。
【０１７３】
したがって、ユーザ機器のページングメッセージを再送信する回数を減らすために、プロセッサ1002は、通信ユニット1001がユーザ機器のページングメッセージの再送信を命令するために使用される再送信指示情報を受信した場合、ユーザ機器のカバレッジレベルを再判定するようにさらに構成される。
【０１７４】
通信ユニット1001は、プロセッサ1002が再判定したユーザ機器のカバレッジレベルに従って、無線インターフェースページングメッセージをユーザ機器に送信するようにさらに構成される。
【０１７５】
さらに、プロセッサ1002が、
通信ユニット1001が受信した再送信指示メッセージが、ユーザ機器の現在のカバレッジレベルを含む場合、ユーザ機器のカバレッジレベルが現在のカバレッジレベルであると判定すること、または
通信ユニット1001が受信した再送信指示メッセージが、ユーザ機器の現在のカバレッジレベルを含まない場合、ユーザ機器のカバレッジレベルをすぐ下位のカバレッジレベルに下げるか、もしくはユーザ機器のカバレッジレベルが最下位のカバレッジレベルであると判定すること
を行うように特に構成される。
【０１７６】
上記より、本発明の実施形態は、基地局を提供することがわかる。ユーザ機器のページングメッセージを受信すると、基地局は、ユーザ機器のページング位置を計算し、ユーザ機器のカバレッジレベルを判定し、基地局は、ユーザ機器のカバレッジレベルに従って、無線インターフェースページングメッセージをユーザ機器に送信し、ページング位置においてページングスケジューリング情報を送信し、ページングスケジューリング情報が、無線インターフェースページングメッセージが送信された位置を示すために使用され、無線インターフェースページングメッセージが、ユーザ機器のページングメッセージを含む。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１７７】
実施形態8
図11は、ユーザ機器の構造図を示し、ユーザ機器は、実施形態2で説明したページング方法を実行するように構成される。図11に示すように、ユーザ機器110は、通信ユニット1101と、プロセッサ1102と、メモリ1103と、少なくとも1つの通信バス1104と、を含み、通信バス1104は、これらの装置間の接続および相互通信を実現するように構成され得る。
【０１７８】
通信ユニット1101は、外部ネットワーク要素とのデータ伝送を行うように構成される。
【０１７９】
プロセッサ1102は、中央演算処理装置（英語：central processing unit、略称CPU）であってもよい。
【０１８０】
メモリ1103は、揮発性メモリ（英語：volatile memory）、例えば、ランダムアクセスメモリ（英語：random-access memory、略称RAM）であってもよいし、読み出し専用メモリ（英語：read-only memory、略称ROM）、フラッシュメモリ（英語：flash memory）、ハードディスクドライブ（英語：hard disk drive、略称HDD）、またはソリッドステートドライブ（英語：solid-state drive、略称SSD）などの不揮発性メモリ（英語：non-volatile memory）であってもよいし、上記のタイプのメモリの組み合わせであってもよく、命令およびデータをプロセッサ1102に提供する。
【０１８１】
通信ユニット1101は、ページング位置において、基地局が送信したページングスケジューリング情報を受信するように構成される。
【０１８２】
ページングスケジューリングメッセージが、ユーザ機器のカバレッジレベルに対応する変調および符号化スキーム（MCS）に従って符号化され、基地局がユーザ機器に送信した無線インターフェースページングメッセージの位置を示すために使用され、ユーザ機器のカバレッジレベルが、ユーザ機器によってMMEまたはSGSNに報告され、MMEまたはSGSNによって基地局に伝達される。
【０１８３】
無線インターフェースページングメッセージは、ページングメッセージ記録リストを含み、ページングメッセージ記録リストは、少なくとも1つのユーザ機器のページングメッセージと、ユーザ機器のページングメッセージとユーザ機器との間の対応と、を含む。ページングメッセージリストでは、各ユーザ機器のページングメッセージのページング位置およびカバレッジレベルは、ユーザ機器のページング位置およびカバレッジレベルと同じである。
【０１８４】
ユーザ機器によってページング位置を計算するための方法は、基地局によってページング位置を計算するための方法と同じであることに留意されたく、ここでは細部を説明しない。
【０１８５】
プロセッサ1102は、ユーザ機器の現在のカバレッジレベルに対応するMCSに従って、通信ユニット1101が受信したページングスケジューリング情報を復号するように構成される。
【０１８６】
さらに、プロセッサ1102は、プロセッサ1102がページングスケジューリング情報の解析に成功した場合、基地局がページングスケジューリング情報を送信した時に使用したカバレッジレベルが、ユーザ機器の現在のカバレッジレベルと同じまたはそれよりも下位であることを示し、ページングスケジューリング情報が示す位置に従って、基地局が送信した無線インターフェースページングメッセージを受信し、無線インターフェースページングメッセージにおけるユーザ機器のページングメッセージを判定するように構成される。
【０１８７】
さらに、通信ユニット1101は、ユーザ機器がページングスケジューリング情報の解析に失敗した場合、基地局がページングスケジューリング情報を送信した時に使用したカバレッジレベルが、ユーザ機器の現在のカバレッジレベルよりも高位であることを示し、ユーザ機器の現在のカバレッジレベルをMMEまたはSGSNに報告するようにさらに構成される。
【０１８８】
さらに通信ユニット1101が、
ユーザ機器の現在のカバレッジレベルを運ぶランダムアクセスメッセージを基地局に報告し、ユーザ機器の現在のカバレッジレベルをMMEまたはSGSNに報告するように基地局に命令すること、または
ユーザ機器の現在のカバレッジを運ぶ、登録アタッチ（Attach）メッセージ、トラッキングエリア更新（TAU）メッセージ、またはルーティングエリア更新（RAU）メッセージを基地局に報告し、Attachメッセージ、TAUメッセージ、またはRAUメッセージをMMEまたはSGSNに転送するように基地局に命令すること
を行うように特に構成される。
【０１８９】
上記より、本発明の実施形態は、ユーザ機器を提供することがわかる。ユーザ機器が、基地局が送信したページングスケジューリング情報を受信した後、ユーザ機器がページングスケジューリング情報の解析に成功した場合、ユーザ機器は、ページングスケジューリング情報が示す位置に従って、基地局が送信した無線インターフェースページングメッセージを受信し、無線インターフェースページングメッセージからユーザ機器のページングメッセージを取得する、またはユーザ機器が、ページングスケジューリング情報の解析に失敗した場合、ユーザ機器は、ユーザ機器の現在のカバレッジレベルを基地局に報告して、ページングメッセージをユーザ機器に再送信する場合、ユーザ機器の現在のカバレッジレベルに従って、基地局がメッセージをユーザ機器に再送信するようにする。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１９０】
実施形態9
図12は、ページングシステムの構造図を示し、ページングシステムは、実施形態3で説明したページング方法を実行するために使用される。図12に示すように、ページングシステムは、
基地局120と、少なくとも1つのユーザ機器121と、コアネットワーク装置122と、
を含み得る。
【０１９１】
基地局120の機能は、上述の実施形態7における基地局100の機能と同じであり、ユーザ機器121の機能は、上述の実施形態8におけるユーザ機器110の機能と同じである。ここでは細部を説明しない。
【０１９２】
コアネットワーク装置122は、MMEまたはSGSNであってよく、M2M121のページングメッセージを基地局120に送信する、またはユーザ機器のページングメッセージの再送信を命令するために使用される再送信指示情報を送信するように構成される。
【０１９３】
上記より、本発明の実施形態は、ページングシステムを提供することがわかる。コアネットワーク装置が送信したユーザ機器のページングメッセージを受信した後、基地局は、ユーザ機器のページング位置を計算し、ユーザ機器の判定されたカバレッジレベルに従って、無線インターフェースページングメッセージをユーザ機器に送信し、ページング位置においてページングスケジューリング情報を送信し、基地局が送信したページングスケジューリング情報を受信した後、ユーザ機器がページングスケジューリングメッセージを解析し、ページングメッセージを取得し、解析が成功した場合、ユーザ機器は、応答メッセージを返し、解析が失敗した場合、ユーザ機器は、ユーザ機器の現在のカバレッジレベルを報告して、基地局が、現在のカバレッジレベルに従って、ページングメッセージをユーザ機器に再送信するようにする、または、ユーザ機器は、現在のカバレッジレベルを報告せずに、基地局が、再判定されたカバレッジレベルに従って、ページングメッセージをユーザ機器に再送信するようにする。したがって、M2M通信システムにおいて、基地局は、ユーザ機器のカバレッジレベルに従って、ページングメッセージをユーザ機器に送信して、異なるカバレッジエリアにあるユーザ機器が、ある程度までページングメッセージを適切に受信でき、ページングメッセージを再送信する回数を減らすようにすることが実現され、それによって、ユーザ機器が配置されている位置のカバレッジ強度が極めて弱い場合にある程度ユーザ機器がページングメッセージを受信できないという従来の問題を回避し、この問題は、基地局が、ユーザ機器が配置されている位置のカバレッジ強度を考慮せずに、ページングメッセージをユーザ機器に送信するという事実に起因して起こる。
【０１９４】
上記の説明は、単に本発明の具体的な実施方式に過ぎず、本発明の保護範囲を限定することを意図するものではない。本発明において開示された技術的範囲内にあり、当業者によって容易に想到される、あらゆる変形や置き換えは、本発明の保護範囲内に含まれるものとする。したがって、本発明の保護範囲は、特許請求の範囲の保護範囲に属する。
【符号の説明】
【０１９５】
70  基地局
701  受信ユニット
702  計算ユニット
703  判定ユニット
704  送信ユニット
80  ユーザ機器
801  受信ユニット
802  解析ユニット
803  取得ユニット
804  報告ユニット
90  ユーザ機器
91  基地局
92  コアネットワーク装置
100  基地局
1001  通信ユニット
1002  プロセッサ
1003  メモリ
110  ユーザ機器
1101  通信ユニット
1102  プロセッサ
1103  メモリ
120  ユーザ機器
121  基地局
122  コアネットワーク装置
【図１】
2018503321.tif 000004
【図２】
2018503321.tif 000005
【図３】
2018503321.tif 000006
【図４】
2018503321.tif 000007
【図５】
2018503321.tif 000008
【図６Ａ】
2018503321.tif 000009
【図６Ｂ】
2018503321.tif 000010
【図７】
2018503321.tif 000011
【図８】
2018503321.tif 000012
【図８Ａ】
2018503321.tif 000013
【図８Ｂ】
2018503321.tif 000014
【図９】
2018503321.tif 000015
【図１０】
2018503321.tif 000016
【図１１】
2018503321.tif 000017
【図１２】
2018503321.tif 000018
【手続補正書】
【提出日】平成29年9月1日(2017.9.1)
【手続補正１】
【補正対象書類名】明細書
【補正対象項目名】０００２
【補正方法】変更
【補正の内容】
【０００２】
マシン間（英語：Machine-to-Machine、略称M2M）通信は、人との相互作用を必要としない1つ以上の機械装置のデータ通信の一種であり、M2M通信において使用される機械装置（センサ、電気メーター、水道メーター、警報装置など）は、ユーザ機器と呼ばれ得る。M2M通信システムでは、ユーザ機器の数が極めて多く、またユーザ機器は普通はバッテリで動くことから、M2Mシステムにとっては、バッテリを毎回交換することは、非常に大きい作業負荷となる。このことから、人々は、比較的低電力消費かつ比較的長いスタンバイ時間のユーザ機器を期待している。ユーザ機器のこの特徴を満たすために、M2M通信システムのアイドルモードでは、基地局は、ページングメッセージをユーザ機器に定期的に送信して、その結果、ユーザ機器は、基地局が送信したページングメッセージに従って特定の間隔でのみウェークアップさせられて、データを送信および受信し、それ以外の期間は休眠状態となり、すなわち、ユーザ機器のバッテリ電力を減らすために、ユーザ機器の通信インターフェースがシャットダウンされる。
【手続補正２】
【補正対象書類名】明細書
【補正対象項目名】００４２
【補正方法】変更
【補正の内容】
【００４２】
以下、本発明の実施形態における添付の図面を参照しながら、本発明の実施形態における技術的な解決策を明確に説明する。当然のことながら、説明される実施形態は、単に本発明の実施形態の一部に過ぎず、すべてではない。本発明の実施形態に基づいて、当業者によって創造的労力なしに得られるすべての他の実施形態は、本発明の保護範囲内に含まれるものとする。
【手続補正３】
【補正対象書類名】明細書
【補正対象項目名】００４３
【補正方法】変更
【補正の内容】
【００４３】
本発明の実施形態で提供されるページング方法は、ロングタームエボリューション（英語：Long Term Evolution、略称LTE）ネットワークシステムに適用されるだけでなく、以下のネットワークシステム、すなわち、ロングタームエボリューション−アドバンスト（英語：Long Term Evolution-Advanced、略称LTE-A）システム、ユニバーサル移動体通信システム（英語：Universal Mobile Telecommunications System、略称UMTS）、汎欧州デジタル移動電話方式（英語：Global System for Mobile Communication、略称GSM（登録商標））などのうちのいずれか1つにも適用される。しかしながら、本発明の実施形態は、本ページング方法が適用される具体的な通信システムにいかなる限定をも課すものではなく、本発明の実施形態では、説明のための例として、本ページング方法をLTEシステムに適用するケースのみを使用する。図2は、本発明の一実施形態によるページング方法の適用シナリオを示し、シナリオは、複数のユーザ機器と、基地局と、コアネットワーク装置と、を含み得る。ユーザ機器はまた、マシンタイプコミュニケーション（英語：Machine Type Communication、略称MTC）と呼ばれることもあり、人間との相互作用をもたないあらゆるタイプの装置であり、基地局を使用して情報の交換を行うことができる。ユーザ機器は、比較的高位のカバレッジレベルの位置、例えば、既存のセルラー方式ネットワークにおける強いカバレッジエリアに配置される場合もあるし、極めて低位のカバレッジレベルの位置、例えば、既存のセルラー方式ネットワークにおける弱いカバレッジエリア（角、地下など）に配置される場合もある。コアネットワーク装置は、S1インターフェースを使用して基地局に接続された移動管理エンティティ（英語：Moblity Management Entity、略称MME）である場合もあるし、Gbインターフェースを使用して基地局に接続されたサービングGPRS（英語：General Packet Radio Service）サポートノード（英語：Serving GPRS Support Node、略称SGSN）である場合もある。強いカバレッジレベルにおけるユーザ機器では、ページングメッセージの送信ゲインを高める必要はなく、ユーザ機器は、ページングメッセージを適切に受信し得る。しかしながら、極めて低位のカバレッジレベルにおけるユーザ機器では、ユーザ機器がページングメッセージを適切に受信できるように、ページングメッセージに対して、送信ゲインを高めることに対応する処理（送信ビットレートの増加、符号化スキームの変更、またはスペクトル拡大など）を行う必要があり、つまり、ユーザ機器がページングメッセージを適切に受信できるように、ユーザ機器に送信したページングメッセージを、ユーザ機器のカバレッジレベルに従って様々な方式で処理する必要がある。このことから、本発明の実施形態では、コアネットワーク装置がユーザ機器を呼び出す（page）必要がある場合、ページングメッセージを基地局に送信した後で、基地局は、ユーザ機器の現在のカバレッジレベルに従って特定の時点においてページングメッセージを処理し、処理したページングメッセージをユーザ機器に送信して、ユーザ機器がページングメッセージを適切に受信できるようにする。以下、本発明の実施形態において提供されるページング方法を説明する。
【手続補正４】
【補正対象書類名】明細書
【補正対象項目名】００５２
【補正方法】変更
【補正の内容】
【００５２】
上述の数式のパラメータ：UE＿IDは、ユーザ機器を識別するために使用される、ユーザ機器の機器識別情報を示し、以下の識別情報、すなわち、国際移動体加入者識別番号（英語：International Mobile Subscriber Identity、略称IMSI）、一時的モバイル加入者識別情報（英語：Temporary Mobile Subscriber Identity、略称TMSI）、グローバル一意一時的UE識別情報Globally Unique Temporary UE Identityおよび国際移動体装置識別番号（英語：International Mobile Equipment Identity、略称IMEI）のうちのいずれか1つであり得る。
【手続補正５】
【補正対象書類名】明細書
【補正対象項目名】００７５
【補正方法】変更
【補正の内容】
【００７５】
ユーザ機器は、参照信号受信電力（英語：Reference Signal Received Power、略称RSRP）に従って、ユーザ機器の現在のカバレッジレベルを判定し得る。
【手続補正６】
【補正対象書類名】明細書
【補正対象項目名】０１４４
【補正方法】変更
【補正の内容】
【０１４４】
実施形態6
図9は、ページングシステムの構造図を示し、ページングシステムは、実施形態3で説明したページング方法を実行するために使用される。図9に示すように、ページングシステムは、基地局91と、少なくとも1つのユーザ機器90と、コアネットワーク装置92と、を含み得る。
【手続補正７】
【補正対象書類名】明細書
【補正対象項目名】０１４５
【補正方法】変更
【補正の内容】
【０１４５】
基地局91の機能は、上述の実施形態4における基地局70の機能と同じであり、ユーザ機器90の機能は、上述の実施形態5におけるユーザ機器80の機能と同じである。ここでは細部を説明しない。
【手続補正８】
【補正対象書類名】明細書
【補正対象項目名】０１４６
【補正方法】変更
【補正の内容】
【０１４６】
コアネットワーク装置92は、MMEまたはSGSNであってよく、M2M91のページングメッセージを基地局91に送信する、またはユーザ機器のページングメッセージの再送信を命令するために使用される再送信指示情報を送信するように構成される。
【手続補正９】
【補正対象書類名】明細書
【補正対象項目名】０１９０
【補正方法】変更
【補正の内容】
【０１９０】
実施形態9
図12は、ページングシステムの構造図を示し、ページングシステムは、実施形態3で説明したページング方法を実行するために使用される。図12に示すように、ページングシステムは、
基地局121と、少なくとも1つのユーザ機器120と、コアネットワーク装置122と、
を含み得る。
【手続補正１０】
【補正対象書類名】明細書
【補正対象項目名】０１９１
【補正方法】変更
【補正の内容】
【０１９１】
基地局121の機能は、上述の実施形態7における基地局100の機能と同じであり、ユーザ機器120の機能は、上述の実施形態8におけるユーザ機器110の機能と同じである。ここでは細部を説明しない。
【手続補正１１】
【補正対象書類名】明細書
【補正対象項目名】０１９２
【補正方法】変更
【補正の内容】
【０１９２】
コアネットワーク装置122は、MMEまたはSGSNであってよく、M2M121のページングメッセージを基地局121に送信する、またはユーザ機器のページングメッセージの再送信を命令するために使用される再送信指示情報を送信するように構成される。
【手続補正１２】
【補正対象書類名】特許請求の範囲
【補正対象項目名】全文
【補正方法】変更
【補正の内容】
【特許請求の範囲】
【請求項１】
基地局により、ユーザ機器のページングメッセージを受信するステップであって、前記ページングメッセージが、前記ユーザ機器のユーザ識別情報を含む、ステップと、
前記ユーザ機器の前記ユーザ識別情報に従って、前記ユーザ機器のページング位置を計算し、前記ユーザ機器のカバレッジレベルを判定するステップと、
前記ユーザ機器の前記カバレッジレベルに従って、無線インターフェースページングメッセージを前記ユーザ機器に送信し、前記ページング位置においてページングスケジューリング情報を送信するステップであって、前記ページングスケジューリング情報が、前記無線インターフェースページングメッセージが送信された位置を示すために使用され、前記無線インターフェースページングメッセージが、前記ユーザ機器の前記ページングメッセージを含む、ステップと、
を含むページング方法。
【請求項２】
前記基地局が前記ユーザ機器のページングメッセージの再送信を命令するために使用される再送信指示情報を受信した場合、前記ユーザ機器のカバレッジレベルを再判定するステップと、
前記ユーザ機器の再判定された前記カバレッジレベルに従って、無線インターフェースページングメッセージを前記ユーザ機器に送信するステップと、
をさらに含む、請求項1に記載のページング方法。
【請求項３】
基地局により、ユーザ機器のページングメッセージを受信する前記ステップが、
前記基地局により、移動管理エンティティ（MME）またはサービング汎用パケット無線サービスサポートノード（SGSN）が送信した前記ユーザ機器のページングメッセージを受信するステップ
を含む、請求項1または2に記載のページング方法。
【請求項４】
前記ユーザ機器のカバレッジレベルを再判定する前記ステップが、
前記基地局が受信した前記再送信指示メッセージが前記ユーザ機器の現在のカバレッジレベルを含む場合、前記ユーザ機器の前記カバレッジレベルが前記現在のカバレッジレベルであると判定するステップ、または
前記基地局が受信した前記再送信指示メッセージが前記ユーザ機器の現在のカバレッジレベルを含まない場合、前記ユーザ機器の前記カバレッジレベルをすぐ下位のカバレッジレベルに下げるか、もしくは前記ユーザ機器の前記カバレッジレベルが最下位のカバレッジレベルであると判定するステップ
を含む、請求項2に記載のページング方法。
【請求項５】
前記ユーザ機器のカバレッジレベルを判定する前記ステップが、
前記ページングメッセージが前記ユーザ機器の前記カバレッジレベルを運んでおらず、かつ前記基地局が前記ユーザ機器と前記カバレッジレベルとの間の対応を記憶していない場合、前記ユーザ機器の前記カバレッジレベルが最下位のカバレッジレベルであると判定するステップ
を含む、請求項1から4のいずれか一項に記載のページング方法。
【請求項６】
前記ユーザ機器のページング位置を計算する前記ステップが、
ネットワーク構成のページングサイクル、ページングスーパーフレーム密度、および前記ユーザ機器の機器識別情報に従って、前記ページング位置が配置されるページングスーパーフレームを計算するステップと、
1つのページングスーパーフレーム内のページングオケージョンの数、前記ユーザ機器の前記機器識別情報、および前記ページングスーパーフレーム密度に従って、前記ページング位置が配置されるページングオケージョンを計算するステップであって、前記ページングスーパーフレーム内の前記ページングオケージョンの前記数が、前記ページングスーパーフレームの長さおよび下りリンク制御情報間隔に従って判定される、ステップと、
を含む、請求項3に記載のページング方法。
【請求項７】
ユーザ機器により、ページング位置において、基地局が送信したページングスケジューリング情報を受信するステップであって、前記ページングスケジューリング情報が、前記ユーザ機器のカバレッジレベルに対応する変調および符号化スキーム（MCS）に従って符号化され、前記基地局が前記ユーザ機器に送信した無線インターフェースページングメッセージの位置を示すために使用され、前記ユーザ機器の前記カバレッジレベルが、前記ユーザ機器によってMMEまたはSGSNに報告され、前記MMEまたは前記SGSNによって前記基地局に伝達される、ステップと、
前記ユーザ機器により、前記ユーザ機器の現在のカバレッジレベルに対応するMCSに従って前記ページングスケジューリング情報を復号するステップと、
を含むページング方法。
【請求項８】
前記ユーザ機器が前記ページングスケジューリング情報の解析に成功した場合、前記ページングスケジューリング情報が示す前記位置に従って、前記基地局が送信した前記無線インターフェースページングメッセージを受信し、前記無線インターフェースページングメッセージから前記ユーザ機器のページングメッセージを取得するステップ、または
前記ユーザ機器が前記ページングスケジューリング情報の解析に失敗した場合、前記基地局を使用して前記ユーザ機器の前記現在のカバレッジレベルを前記MMEまたは前記SGSNに報告するステップ
をさらに含む、請求項7に記載のページング方法。
【請求項９】
前記基地局を使用して前記ユーザ機器の前記現在のカバレッジレベルを前記MMEまたは前記SGSNに報告する前記ステップが、
前記ユーザ機器により、前記ユーザ機器の前記現在のカバレッジレベルを運ぶランダムアクセスメッセージを前記基地局に報告し、前記ユーザ機器の前記現在のカバレッジレベルを前記MMEまたは前記SGSNに報告するように前記基地局に命令するステップ、または
前記ユーザ機器により、前記ユーザ機器の前記現在のカバレッジレベルを運ぶ、登録アタッチ（Attach）メッセージ、トラッキングエリア更新（TAU）メッセージ、またはルーティングエリア更新（RAU）メッセージを前記基地局に報告し、前記Attachメッセージ、前記TAUメッセージ、または前記RAUメッセージを前記MMEまたは前記SGSNに転送するように前記基地局に命令するステップ
を含む、請求項8に記載のページング方法。
【請求項１０】
ユーザ機器のページングメッセージを受信するように構成された受信ユニットであって、前記ページングメッセージが、前記ユーザ機器のユーザ識別情報を含む、受信ユニットと、
前記受信ユニットが受信した前記ユーザ識別情報に従って、前記ユーザ機器のページング位置を計算するように構成された計算ユニットと、
前記ユーザ機器のカバレッジレベルを判定するように構成された判定ユニットと、
前記判定ユニットが判定した前記ユーザ機器の前記カバレッジレベルに従って、無線インターフェースページングメッセージを前記ユーザ機器に送信し、前記計算ユニットが計算した前記ページング位置においてページングスケジューリング情報を送信するように構成された送信ユニットであって、前記ページングスケジューリング情報が、前記無線インターフェースページングメッセージが送信された位置を示すために使用され、前記無線インターフェースページングメッセージが、前記ユーザ機器の前記ページングメッセージを含む、送信ユニットと、
を備える基地局。
【請求項１１】
前記判定ユニットが、前記受信ユニットが前記ユーザ機器のページングメッセージの再送信を命令するために使用される再送信指示情報を受信した場合、前記ユーザ機器のカバレッジレベルを再判定するようにさらに構成され、
前記送信ユニットが、前記判定ユニットが再判定した前記ユーザ機器の前記カバレッジレベルに従って、無線インターフェースページングメッセージを前記ユーザ機器に送信するようにさらに構成される、請求項10に記載の基地局。
【請求項１２】
前記受信ユニットが、
MMEまたはSGSNが送信した前記ユーザ機器のページングメッセージを受信すること
を行うように構成される、請求項10または11に記載の基地局。
【請求項１３】
前記判定ユニットが、
前記ページングメッセージが前記ユーザ機器の前記カバレッジレベルを運んでおらず、かつ前記基地局が前記ユーザ機器と前記カバレッジレベルとの間の対応を記憶していない場合、前記ユーザ機器の前記カバレッジレベルが最下位のカバレッジレベルであると判定すること
を行うように構成される、請求項10から12のいずれか一項に記載の基地局。
【請求項１４】
前記送信ユニットが、
前記ユーザ機器と同じページング位置およびカバレッジレベルである、ページング位置およびカバレッジレベルを有するページングメッセージを、同じページング記録リストに結合することと、
前記ページング記録リストを前記ユーザ機器に対応する無線インターフェースページングメッセージに含めることと、
カバレッジレベルと変調および符号化スキーム（MCS）との間で予め設定した対応に従って、前記ユーザ機器の前記カバレッジレベルに対応するMCSを使用して、前記無線インターフェースページングメッセージに対して変調および符号化を行い、変調および符号化した前記無線インターフェースページングメッセージを前記ユーザ機器に送信することと、
を行うように構成される、請求項10から13のいずれか一項に記載の基地局。
【請求項１５】
前記計算ユニットが、
ネットワーク構成のページングサイクル、ページングスーパーフレーム密度、および前記ユーザ機器の機器識別情報に従って、前記ページング位置が配置されるページングスーパーフレームを計算することと、
1つのページングスーパーフレーム内のページングオケージョンの数、前記ユーザ機器の前記機器識別情報、および前記ページングスーパーフレーム密度に従って、前記ページング位置が配置されるページングオケージョンを計算することであって、前記ページングスーパーフレーム内の前記ページングオケージョンの前記数が、前記ページングスーパーフレームの長さおよび下りリンク制御情報間隔に従って判定される、ことと、
を行うように構成される、請求項10から14のいずれか一項に記載の基地局。
【請求項１６】
前記判定ユニットが、
前記基地局が受信した前記再送信指示メッセージが前記ユーザ機器の現在のカバレッジレベルを含む場合、前記ユーザ機器の前記カバレッジレベルが前記現在のカバレッジレベルであると判定すること、または
前記基地局が受信した前記再送信指示メッセージが前記ユーザ機器の現在のカバレッジレベルを含まない場合、前記ユーザ機器の前記カバレッジレベルをすぐ下位のカバレッジレベルに下げるか、もしくは前記ユーザ機器の前記カバレッジレベルが最下位のカバレッジレベルであると判定すること
を行うように構成される、請求項11に記載の基地局。
【請求項１７】
ユーザ機器であって、
ページング位置において、基地局が送信したページングスケジューリング情報を受信するように構成された受信ユニットであって、前記ページングスケジューリング情報が、前記ユーザ機器のカバレッジレベルに対応する変調および符号化スキーム（MCS）に従って符号化され、前記基地局が前記ユーザ機器に送信した無線インターフェースページングメッセージの位置を示すために使用され、前記ユーザ機器の前記カバレッジレベルが、前記ユーザ機器によってMMEまたはSGSNに報告され、前記MMEまたは前記SGSNによって前記基地局に伝達される、受信ユニットと、
前記ユーザ機器の現在のカバレッジレベルに対応するMCSに従って、前記受信ユニットが受信した前記ページングスケジューリング情報を復号するように構成された解析ユニットと、
を備えるユーザ機器。
【請求項１８】
前記解析ユニットが前記ページングスケジューリング情報の解析に成功した場合、前記受信ユニットが受信した前記ページングスケジューリング情報が示す前記位置に従って、前記基地局が送信した前記無線インターフェースページングメッセージを受信し、前記無線インターフェースページングメッセージから前記ユーザ機器のページングメッセージを取得するように構成された取得ユニットと、
前記解析ユニットが前記ページングスケジューリング情報の解析に失敗した場合、前記ユーザ機器の前記現在のカバレッジレベルを前記基地局に報告するように構成された報告ユニットと、
をさらに備える、請求項17に記載のユーザ機器。
【請求項１９】
前記報告ユニットが、
前記ユーザ機器の前記現在のカバレッジレベルを運ぶランダムアクセスメッセージを前記基地局に報告し、前記ユーザ機器の前記現在のカバレッジレベルを前記MMEまたは前記SGSNに報告するように前記基地局に命令すること、または
前記ユーザ機器の前記現在のカバレッジを運ぶ、登録アタッチ（Attach）メッセージ、トラッキングエリア更新（TAU）メッセージ、またはルーティングエリア更新（RAU）メッセージを前記基地局に報告し、前記Attachメッセージ、前記TAUメッセージ、または前記RAUメッセージを前記MMEまたは前記SGSNに転送するように前記基地局に命令すること
を行うように構成される、請求項18に記載のユーザ機器。
【請求項２０】
マシン間ユーザ機器のページングメッセージを受信するように構成された通信ユニットであって、前記ページングメッセージが、前記ユーザ機器のユーザ識別情報を含む、通信ユニットと、
前記通信ユニットが受信した前記ユーザ識別情報に従って、前記ユーザ機器のページング位置を計算し、前記ユーザ機器のカバレッジレベルを判定するように構成されたプロセッサと、
を備え、
前記通信ユニットは、前記プロセッサが判定した前記ユーザ機器の前記カバレッジレベルに従って、無線インターフェースページングメッセージを前記ユーザ機器に送信し、前記プロセッサが計算した前記ページング位置においてページングスケジューリング情報を送信するようにさらに構成され、前記ページングスケジューリング情報が、前記無線インターフェースページングメッセージが送信された位置を示すために使用され、前記無線インターフェースページングメッセージが、前記ユーザ機器の前記ページングメッセージを含む、基地局。
【請求項２１】
前記プロセッサが、前記通信ユニットが前記ユーザ機器のページングメッセージの再送信を命令するために使用される再送信指示情報を受信した場合、前記ユーザ機器のカバレッジレベルを再判定するようにさらに構成され、
前記通信ユニットが、前記プロセッサが再判定した前記ユーザ機器の前記カバレッジレベルに従って、無線インターフェースページングメッセージを前記ユーザ機器に送信するようにさらに構成される、請求項20に記載の基地局。
【請求項２２】
前記通信ユニットが、
MMEまたはSGSNが送信した前記ユーザ機器のページングメッセージを受信すること
を行うように構成される、請求項20または21に記載の基地局。
【請求項２３】
ユーザ機器であって、
ページング位置において、基地局が送信したページングスケジューリング情報を受信するように構成された通信ユニットであって、前記ページングスケジューリング情報が、前記ユーザ機器のカバレッジレベルに対応する変調および符号化スキーム（MCS）に従って符号化され、前記基地局が前記ユーザ機器に送信した無線インターフェースページングメッセージの位置を示すために使用され、前記ユーザ機器の前記カバレッジレベルが、前記ユーザ機器によってMMEまたはSGSNに報告され、前記MMEまたは前記SGSNによって前記基地局に伝達される、通信ユニットと、
前記ユーザ機器の現在のカバレッジレベルに対応するMCSに従って、前記通信ユニットが受信した前記ページングスケジューリング情報を復号するように構成されたプロセッサと、
を備えるユーザ機器。
【請求項２４】
請求項10から16、および20から22のいずれか一項に記載の基地局と、
請求項17から19、および23のいずれか一項に記載のユーザ機器と、
コアネットワーク装置と、
を備え、
前記コアネットワーク装置がMMEまたはSGSNである、ページングシステム。
【請求項２５】
請求項1から9のいずれか一項に記載の方法をコンピュータに実行させる命令を格納したコンピュータ読み取り可能な記録媒体。
【請求項２６】
請求項1から9のいずれか一項に記載の方法をコンピュータに実行させるプログラム。
【国際調査報告】
2018503321.tif 000019
2018503321.tif 000020
2018503321.tif 000021
2018503321.tif 000022